(57)【要約】【課題】5GSにおいて、ユーザ装置が要求するLADN(Local Area Data Network)への接続性のための情報が有効ではない状況が起こった場合の、コアネットワークの制御装置のエラー処理とユーザ装置のエラー処理とを実現するための通信手段を提供する。【解決手段】5GSにおいて、ユーザ装置が要求するLADN(Local Area Data Network)への接続性のための情報が有効ではない状況が起こった場合に、ユーザ装置の要求を、コアネットワークの制御装置が拒絶するエラー処理を実現するための通信手段を提供する。さらに、ユーザ装置によって要求されたLADNへの接続性のための情報が有効ではない状況が起こった場合に、ユーザ装置が実施する、適切なエラー処理を実現するための通信手段も提供する。【選択図】図2
2020088474.tif 000002
【特許請求の範囲】
【請求項１】
ユーザ装置であって、
前記ユーザ装置は、
制御装置に、Local Area Data Network (LADN)インディケーション情報要素を含む登録要求メッセージを送信し、
前記制御装置から、LADNインフォメーション情報要素を含む登録受諾メッセージを受信する、
送受信部を備え、
前記LADNインディケーション情報要素に含まれ、前記LADNインフォメーション情報要素に含まれないLADN Data Network Name (DNN)が一又複数存在する場合に、前記ユーザ装置が、前記LADN DNNの新しいLADN情報を要求するための登録手続きを、再度開始することが禁止される、
ことを特徴とするユーザ装置。
【請求項２】
ユーザ装置であって、
前記ユーザ装置は、
制御装置に、Local Area Data Network (LADN)インディケーション情報要素を含む登録要求メッセージを送信し、
前記制御装置から、LADNインフォメーション情報要素を含む登録受諾メッセージを受信する、
送受信部を備え、
LADN失敗インディケーション情報要素が前記登録受諾メッセージに含まれている場合に、前記ユーザ装置が、前記LADN失敗インディケーション情報要素に含まれる、LADN Data Network Name (DNN)の新しいLADN情報を要求するための登録手続きを、再度開始することが禁止され、
前記LADN DNNは、前記LADNインディケーション情報要素に含まれる、
ことを特徴とするユーザ装置。
【請求項３】
前記LADNインディケーションに含まれ、前記制御装置が保持するDNNリストに含まれるDNNのいずれにも合致しないLADN DNNが一又複数存在する場合に、前記LADN DNNは、前記LADN失敗インディケーション情報要素に含まれる、
ことを特徴とする請求項2に記載のユーザ装置。
【請求項４】
制御装置であって、
前記制御装置は、
ユーザ装置から、Local Area Data Network (LADN)インディケーション情報要素を含む登録要求メッセージを受信し、
前記ユーザ装置に、LADNインフォメーション情報要素を含む登録受諾メッセージを送信する、
送受信部を備え、
前記制御装置は、決定したLADN Data Network Name (DNN)を、前記LADNインフォメーション情報要素に含め、
前記LADNインディケーション情報要素に含まれ、前記LADNインフォメーション情報要素に含まれないLADN DNNが一又複数存在する場合に、前記ユーザ装置が、前記LADN DNNの新しいLADN情報を要求するための登録手続きを、再度開始することが禁止されることを示す、
ことを特徴とする制御装置。
【請求項５】
制御装置であって、
前記制御装置は、
ユーザ装置から、Local Area Data Network (LADN)インディケーション情報要素を含む登録要求メッセージを受信し、
前記ユーザ装置に、LADNインフォメーション情報要素を含む登録受諾メッセージを送信する、
送受信部を備え、
前記LADNインディケーション情報要素に含まれ、前記制御装置が保持するLADN Data Network Name (DNN)リストに含まれるDNNのいずれにも合致しないLADN DNNが一又複数存在する場合に、前記制御装置は、前記LADN DNNを、LADN失敗インディケーション情報要素に含む、
ことを特徴とする制御装置。
【請求項６】
ユーザ装置の通信制御方法であって、
制御装置に、Local Area Data Network (LADN)インディケーション情報要素を含む登録要求メッセージを送信するステップと、
前記制御装置から、LADNインフォメーション情報要素を含む登録受諾メッセージを受信するステップとを有し、
前記LADNインディケーション情報要素に含まれ、前記LADNインフォメーション情報要素に含まれないLADN Data Network Name (DNN)が一又複数存在する場合に、前記ユーザ装置が、前記LADN DNNの新しいLADN情報を要求するための登録手続きを、再度開始することが禁止される、
ことを特徴とするユーザ装置の通信制御方法。
【請求項７】
ユーザ装置の通信制御方法であって、
制御装置に、Local Area Data Network (LADN)インディケーション情報要素を含む登録要求メッセージを送信するステップと、
前記制御装置から、LADNインフォメーション情報要素を含む登録受諾メッセージを受信するするステップとを有し、
LADN失敗インディケーション情報要素が前記登録受諾メッセージに含まれている場合に、前記ユーザ装置が、前記LADN失敗インディケーション情報要素に含まれる、LADN Data Network Name (DNN)の新しいLADN情報を要求するための登録手続きを、再度開始することが禁止され、
前記LADN DNNは、前記LADNインディケーション情報要素に含まれる、
ことを特徴とするユーザ装置の通信制御方法。
【請求項８】
前記LADNインディケーションに含まれ、前記制御装置が保持するDNNリストに含まれるDNNのいずれにも合致しないLADN DNNが一又複数存在する場合に、前記LADN DNNは、前記LADN失敗インディケーション情報要素に含まれる、
ことを特徴とする請求項7に記載のユーザ装置の通信制御方法。
【請求項９】
制御装置の通信制御方法であって、
ユーザ装置から、Local Area Data Network (LADN)インディケーション情報要素を含む登録要求メッセージを受信するステップと、
前記ユーザ装置に、LADNインフォメーション情報要素を含む登録受諾メッセージを送信するするステップとを有し、
前記制御装置は、決定したLADN Data Network Name (DNN)を、前記LADNインフォメーション情報要素に含め、
前記LADNインディケーション情報要素に含まれ、前記LADNインフォメーション情報要素に含まれないLADN DNNが一又複数存在する場合に、前記ユーザ装置が、前記LADN DNNの新しいLADN情報を要求するための登録手続きを、再度開始することが禁止されることを示す、
ことを特徴とする制御装置の通信制御方法。
【請求項１０】
制御装置の通信制御方法であって、
ユーザ装置から、Local Area Data Network (LADN)インディケーション情報要素を含む登録要求メッセージを受信するステップと、
前記ユーザ装置に、LADNインフォメーション情報要素を含む登録受諾メッセージを送信するステップとを有し、
前記LADNインディケーション情報要素に含まれ、前記制御装置が保持するLADN Data Network Name (DNN)リストに含まれるDNNのいずれにも合致しないLADN DNNが一又複数存在する場合に、前記制御装置は、前記LADN DNNを、LADN失敗インディケーション情報要素に含む、
ことを特徴とする制御装置の通信制御方法。
【発明の詳細な説明】
【技術分野】
【０００１】
本開示は、ユーザ装置、制御装置、及び通信制御方法に関する。
【背景技術】
【０００２】
3GPP(3rd Generation Partnership Project)では、次世代、すなわち第5世代(5G)の移動通信システムである5GS(5G System)のシステムアーキテクチャについての検討が開始されており、新しい手続きや新しい機能のサポートについて議論が行われている(非特許文献1及び非特許文献2参照)。
【０００３】
例えば、多種多様なサービスに応じた、継続的な移動通信サービスをサポートする為の通信手続きの最適化及び多様化や、通信手続きの最適化及び多様化に合わせたシステムアーキテクチャの最適化等も要求条件として挙げられている。
【先行技術文献】
【非特許文献】
【０００４】
【非特許文献１】3GPP TS 23.501 v15.3.0 (2018-09); Technical Specification Group Services and System Aspects; System Architecture for the 5G System; Stage 2 (Release 15)
【非特許文献２】3GPP TS 23.502 v15.3.0 (2018-09); Technical Specification Group Services and System Aspects; Procedures for the 5G System; Stage 2 (Release 15)
【非特許文献３】3GPP TS 24.501 v15.1.0 (2018-09); Technical Specification Group Core Network and Terminals; Non-Access-Stratum (NAS) protocol for 5G System (5GS); Stage 3 (Release 15)
【発明の概要】
【発明が解決しようとする課題】
【０００５】
5GS(5G System)では、多種多様なサービスを提供するために、新たなコアネットワークである5GCN(5G Core Network)が検討されている。尚、5GSでは、LADN(Local Area Data Network)への接続性を提供するための機能等の新しい機能がサポートされている。
【０００６】
しかし、ユーザ装置によって要求されたLADNへの接続性のための情報が有効ではない状況が起こった場合における、コアネットワークの制御装置の処理とユーザ装置の処理とは明確になっていない。
【０００７】
本発明は、以上のような事情を鑑みてなされたものであり、その目的は、5GSにおける、ユーザ装置によって要求されたLADNへの接続性のための情報が有効ではない状況が起こった場合の、コアネットワークの制御装置のエラー処理とユーザ装置のエラー処理の実現方法を提供することである。
【課題を解決するための手段】
【０００８】
本発明の一実施形態のユーザ装置は、制御装置に、Local Area Data Network (LADN)インディケーション情報要素を含む登録要求メッセージを送信し、前記制御装置から、LADNインフォメーション情報要素を含む登録受諾メッセージを受信する、送受信部を備え、前記LADNインディケーション情報要素に含まれ、前記LADNインフォメーション情報要素に含まれないLADN Data Network Name (DNN)が一又複数存在する場合に、前記ユーザ装置が、前記LADN DNNの新しいLADN情報を要求するための登録手続きを、再度開始することが禁止される、ことを特徴とする。
【０００９】
本発明の一実施形態のユーザ装置は、制御装置に、Local Area Data Network (LADN)インディケーション情報要素を含む登録要求メッセージを送信し、前記制御装置から、LADNインフォメーション情報要素を含む登録受諾メッセージを受信する、送受信部を備え、LADN失敗インディケーション情報要素が前記登録受諾メッセージに含まれている場合に、前記ユーザ装置が、前記LADN失敗インディケーション情報要素に含まれる、LADN Data Network Name (DNN)の新しいLADN情報を要求するための登録手続きを、再度開始することが禁止され、前記LADN DNNは、前記LADNインディケーション情報要素に含まれる、ことを特徴とする。
【００１０】
本発明の一実施形態の制御装置は、ユーザ装置から、Local Area Data Network (LADN)インディケーション情報要素を含む登録要求メッセージを受信し、前記ユーザ装置に、LADNインフォメーション情報要素を含む登録受諾メッセージを送信する、送受信部を備え、前記制御装置は、決定したLADN Data Network Name (DNN)を、前記LADNインフォメーション情報要素に含め、前記LADNインディケーション情報要素に含まれ、前記LADNインフォメーション情報要素に含まれないLADN DNNが一又複数存在する場合に、前記ユーザ装置が、前記LADN DNNの新しいLADN情報を要求するための登録手続きを、再度開始することが禁止されることを示す、ことを特徴とする。
【００１１】
本発明の一実施形態の制御装置は、ユーザ装置から、Local Area Data Network (LADN)インディケーション情報要素を含む登録要求メッセージを受信し、前記ユーザ装置に、LADNインフォメーション情報要素を含む登録受諾メッセージを送信する、送受信部を備え、前記LADNインディケーション情報要素に含まれ、前記制御装置が保持するLADN Data Network Name (DNN)リストに含まれるDNNのいずれにも合致しないLADN DNNが一又複数存在する場合に、前記制御装置は、前記LADN DNNを、LADN失敗インディケーション情報要素に含む、ことを特徴とする。
【００１２】
本発明の一実施形態のユーザ装置の通信制御方法は、制御装置に、Local Area Data Network (LADN)インディケーション情報要素を含む登録要求メッセージを送信するステップと、前記制御装置から、LADNインフォメーション情報要素を含む登録受諾メッセージを受信するステップとを有し、前記LADNインディケーション情報要素に含まれ、前記LADNインフォメーション情報要素に含まれないLADN Data Network Name (DNN)が一又複数存在する場合に、前記ユーザ装置が、前記LADN DNNの新しいLADN情報を要求するための登録手続きを、再度開始することが禁止される、ことを特徴とする。
【００１３】
本発明の一実施形態のユーザ装置の通信制御方法は、制御装置に、Local Area Data Network (LADN)インディケーション情報要素を含む登録要求メッセージを送信するステップと、前記制御装置から、LADNインフォメーション情報要素を含む登録受諾メッセージを受信するするステップとを有し、LADN失敗インディケーション情報要素が前記登録受諾メッセージに含まれている場合に、前記ユーザ装置が、前記LADN失敗インディケーション情報要素に含まれる、LADN Data Network Name (DNN)の新しいLADN情報を要求するための登録手続きを、再度開始することが禁止され、前記LADN DNNは、前記LADNインディケーション情報要素に含まれる、ことを特徴とする。
【００１４】
本発明の一実施形態の制御装置の通信制御方法は、ユーザ装置から、Local Area Data Network (LADN)インディケーション情報要素を含む登録要求メッセージを受信するステップと、前記ユーザ装置に、LADNインフォメーション情報要素を含む登録受諾メッセージを送信するするステップとを有し、前記制御装置は、決定したLADN Data Network Name (DNN)を、前記LADNインフォメーション情報要素に含め、前記LADNインディケーション情報要素に含まれ、前記LADNインフォメーション情報要素に含まれないLADN DNNが一又複数存在する場合に、前記ユーザ装置が、前記LADN DNNの新しいLADN情報を要求するための登録手続きを、再度開始することが禁止されることを示す、ことを特徴とする。
【００１５】
本発明の一実施形態の制御装置の通信制御方法は、ユーザ装置から、Local Area Data Network (LADN)インディケーション情報要素を含む登録要求メッセージを受信するステップと、前記ユーザ装置に、LADNインフォメーション情報要素を含む登録受諾メッセージを送信するステップとを有し、前記LADNインディケーション情報要素に含まれ、前記制御装置が保持するLADN Data Network Name (DNN)リストに含まれるDNNのいずれにも合致しないLADN DNNが一又複数存在する場合に、前記制御装置は、前記LADN DNNを、LADN失敗インディケーション情報要素に含む、ことを特徴とする。
【発明の効果】
【００１６】
本発明によれば、5GSにおいて、ユーザ装置によって要求されたLADNへの接続性のための情報が有効ではない状況が起こった場合の、コアネットワークの制御装置のエラー処理とユーザ装置のエラー処理とを実現することが可能となる。
【図面の簡単な説明】
【００１７】
【図１】移動通信システム(EPS/5GS)の概略を説明する図である。
【図２】移動通信システム(EPS/5GS)の詳細構成を説明する図である。
【図３】UEの装置構成を説明する図である。
【図４】5GSにおけるアクセスネットワーク装置(gNB)の構成を説明する図である。
【図５】5GSにおけるコアネットワーク装置(AMF/SMF/UPF)の構成を説明する図である。
【図６】登録手続きを説明する図である。
【図７】PDUセッション確立手続きを説明する図である。
【発明を実施するための形態】
【００１８】
図面を参照しながら、本発明を実施する為の最良の形態について、説明する。
【００１９】
[1. システムの概要]
まず、図1は、各実施形態で使用される移動通信システム1の概略を説明する為の図であり、図2は、その移動通信システム1の詳細構成を説明する為の図である。
【００２０】
図1には、移動通信システム1は、UE_A10、アクセスネットワーク_A80、コアネットワーク_A90、PDN(Packet Data Network)_A5、アクセスネットワーク_B120、コアネットワーク_B190、DN(Data Network)_A6により構成されることが記載されている。
【００２１】
以下では、これらの装置・機能について、UE、アクセスネットワーク_A、コアネットワーク_A、PDN、アクセスネットワーク_B、コアネットワーク_B、DN等のように、記号を省略して記載する場合がある。
【００２２】
また、図2には、UE_A10、E-UTRAN80、MME40、SGW35、PGW-U30、PGW-C32、PCRF60、HSS50、5G AN120、AMF140、UPF130、SMF132、PCF160、UDM150等の装置・機能、及びこれらの装置・機能を互いに接続するインターフェースが記載されている。
【００２３】
以下では、これらの装置・機能について、UE、E-UTRAN、MME、SGW、PGW-U、PGW-C、PCRF、HSS、5G AN、AMF、UPF、SMF、PCF、UDM等のように、記号を省略して記載する場合がある。
【００２４】
尚、4GシステムであるEPS(Evolved Packet System)は、アクセスネットワーク_A及びコアネットワーク_Aを含んで構成されるが、さらにUE及び/又はPDNが含まれても良い。また、5Gシステムである5GS(5G System)は、UE、アクセスネットワーク_B及びコアネットワーク_Bを含んで構成されるが、さらにDNが含まれても良い。
【００２５】
UEは、3GPPアクセス(3GPPアクセスネットワーク、3GPP ANとも称する)及び/又はnon-3GPPアクセス(non-3GPPアクセスネットワーク、non-3GPP ANとも称する)を介して、ネットワークサービスに対して接続可能な装置である。UEは、携帯電話やスマートフォン等の無線通信が可能な端末装置であってよく、EPSにも5GSにも接続可能な端末装置であってよい。UEは、UICC(Universal Integrated Circuit Card)やeUICC(Embedded UICC)を備えてもよい。尚、UEのことをユーザ装置と表現してもよいし、端末装置と表現してもよい。
【００２６】
また、アクセスネットワーク_Aは、E-UTRAN(Evolved Universal Terrestrial Radio Access Network)及び/又は無線LANアクセスネットワークに対応する。E-UTRANには、1以上のeNB(evolved Node B)45が配置される。尚、以下では、eNB45は、eNBのように記号を省略して記載する場合がある。また、複数のeNBがある場合は、各eNBは、例えばX2インターフェースにより、互いに接続されている。また、無線LANアクセスネットワークには、1以上のアクセスポイントが配置される。
【００２７】
また、アクセスネットワーク_Bは、5Gアクセスネットワーク(5G AN)に対応する。5G ANは、NG-RAN(NG Radio Access Network)及び/又はnon-3GPP アクセスネットワークで構成される。NG-RANには、1以上のgNB(NR NodeB)122が配置される。尚、以下では、gNB122は、eNBのように記号を省略して記載する場合がある。gNBは、NR(New Radio)ユーザプレーンと制御プレーンをUEに提供するノードであり、5GCNに対してNGインターフェース(N2インターフェース又はN3インターフェースを含む)を介して接続するノードである。すなわち、gNBは、5GSのために新たに設計された基地局装置であり、4GシステムであるEPSで使用されていた基地局装置(eNB)とは異なる機能を有する。また、複数のgNBがある場合は、各gNBは、例えばXnインターフェースにより、互いに接続している。
【００２８】
また、以下では、E-UTRANやNG-RANは、3GPPアクセスと称することがある。また、無線LANアクセスネットワークやnon-3GPP ANは、non-3GPPアクセスと称することがある。また、アクセスネットワーク_Bに配置されるノードを、まとめてNG-RANノードとも称することがある。
【００２９】
また、以下では、アクセスネットワーク_A、及び/又はアクセスネットワーク_B、及び/又はアクセスネットワーク_Aに含まれる装置、及び/又はアクセスネットワーク_Bに含まれる装置は、アクセスネットワーク、又はアクセスネットワーク装置と称する場合がある。
【００３０】
また、コアネットワーク_Aは、EPC(Evolved Packet Core)に対応する。EPCには、例えば、MME(Mobility Management Entity)、SGW(Serving Gateway)、PGW(Packet Data Network Gateway)-U、PGW-C、PCRF(Policy and Charging Rules Function)、HSS(Home Subscriber Server)等が配置される。
【００３１】
また、コアネットワーク_Bは、5GCN(5G Core Network)に対応する。5GCNには、例えば、AMF(Access and Mobility Management Function)、UPF(User Plane Function)、SMF(Session Management Function)、PCF(Policy Control Function)、UDM(Unified Data Management)等が配置される。ここで、5GCNは、5GCと表現されてもよい。
【００３２】
また、以下では、コアネットワーク_A、及び/又はコアネットワーク_B、コアネットワーク_Aに含まれる装置、及び/又はコアネットワーク_Bに含まれる装置は、コアネットワーク、又はコアネットワーク装置と称する場合がある。
【００３３】
コアネットワーク(コアネットワーク_A及び/又はコアネットワーク_B)は、アクセスネットワーク(アクセスネットワーク_A及び/又はアクセスネットワーク_B)と、PDN及び/又はDNとを接続した移動体通信事業者(Mobile Network Operator; MNO)が運用するIP移動通信ネットワークの事であってもよいし、移動通信システム1を運用、管理する移動体通信事業者の為のコアネットワークでもよいし、MVNO(Mobile Virtual Network Operator)、MVNE(Mobile Virtual Network Enabler)等の仮想移動通信事業者や仮想移動体通信サービス提供者の為のコアネットワークでもよい。
【００３４】
また、図1では、PDNとDNが同一である場合が記載されているが、異なっていても良い。PDNは、UEに通信サービスを提供するDN(Data Network)であってよい。尚、DNは、パケットデータサービス網として構成されてもよいし、サービス毎に構成されてもよい。さらに、PDNは、接続された通信端末を含んでもよい。従って、PDNと接続する事は、PDNに配置された通信端末やサーバ装置と接続する事であってもよい。さらに、PDNとの間でユーザデータを送受信する事は、PDNに配置された通信端末やサーバ装置とユーザデータを送受信する事であってもよい。尚、PDNのことをDNと表現してもよいし、DNのことをPDNと表現してもよい。
【００３５】
また、以下では、アクセスネットワーク_A、コアネットワーク_A、PDN、アクセスネットワーク_B、コアネットワーク_B、DNの少なくとも一部、及び/又はこれらに含まれる1以上の装置を、ネットワーク又はネットワーク装置と呼称する場合がある。つまり、ネットワーク及び/又はネットワーク装置が、メッセージを送受信する、及び/又は手続きを実行するということは、アクセスネットワーク_A、コアネットワーク_A、PDN、アクセスネットワーク_B、コアネットワーク_B、DNの少なくとも一部、及び/又はこれらに含まれる1以上の装置が、メッセージを送受信する、及び/又は手続きを実行することを意味する。
【００３６】
また、UEは、アクセスネットワークに接続することができる。また、UEは、アクセスネットワークを介して、コアネットワークと接続する事ができる。さらに、UEは、アクセスネットワーク及びコアネットワークを介して、PDN又はDNに接続する事ができる。すなわち、UEは、PDN又はDNとの間で、ユーザデータを送受信(通信)する事ができる。ユーザデータを送受信する際は、IP(Internet Protocol)通信だけでなく、non-IP通信を用いてもよい。
【００３７】
ここで、IP通信とは、IPを用いたデータ通信の事であり、IPパケットにより、データの送受信が行われる。IPパケットは、IPヘッダとペイロード部で構成される。ペイロード部には、EPSに含まれる装置・機能や、5GSに含まれる装置・機能が送受信するデータが含まれてよい。また、non-IP通信とは、IPを用いないデータ通信の事であり、IPパケットの構造とは異なる形式により、データの送受信が行われる。例えば、non-IP通信は、IPヘッダが付与されていないアプリケーションデータの送受信によって実現されるデータ通信でもよいし、マックヘッダやEthernet(登録商標)フレームヘッダ等の別のヘッダを付与してUEが送受信するユーザデータを送受信してもよい。
【００３８】
[2. 各装置の構成]
次に、各実施形態で使用される各装置(UE、及び/又はアクセスネットワーク装置、及び/又はコアネットワーク装置)の構成について、図を用いて説明する。尚、各装置は、物理的なハードウェアとして構成されても良いし、汎用的なハードウェア上に構成された論理的な(仮想的な)ハードウェアとして構成されても良いし、ソフトウェアとして構成されても良い。また、各装置の持つ機能の少なくとも一部(全部を含む)が、物理的なハードウェア、論理的なハードウェア、ソフトウェアとして構成されても良い。
【００３９】
尚、以下で登場する各装置・機能内の各記憶部(記憶部_A340、記憶部_A440、記憶部_B540、記憶部_A640、記憶部_B740)は、例えば、半導体メモリ、SSD(Solid State Drive)、HDD(Hard Disk Drive)等で構成されている。また、各記憶部は、出荷段階からもともと設定されていた情報だけでなく、自装置・機能以外の装置・機能(例えば、UE、及び/又はアクセスネットワーク装置、及び/又はコアネットワーク装置、及び/又はPDN、及び/又はDN)との間で、送受信した各種の情報を記憶する事ができる。また、各記憶部は、後述する各種の通信手続き内で送受信する制御メッセージに含まれる識別情報、制御情報、フラグ、パラメータ等を記憶することができる。また、各記憶部は、これらの情報をUE毎に記憶してもよい。また、各記憶部は、5GSとEPSとの間のインターワークをした場合には、5GS及び/又はEPS内に含まれる装置・機能との間で送受信した制御メッセージやユーザデータを記憶することができる。このとき、N26インターフェースを介して送受信されたものだけでなく、N26インターフェースを介さずに送受信されたものも記憶することができる。
【００４０】
[2.1. UEの装置構成]
まず、UE(User Equipment)の装置構成例について、図3を用いて説明する。UEは、制御部_A300、アンテナ310、送受信部_A320、記憶部_A340で構成されている。制御部_A300、送受信部_A320、記憶部_A340は、バスを介して接続されている。送受信部_A320は、アンテナ310と接続している。
【００４１】
制御部_A300は、UE全体の動作・機能を制御する機能部である。制御部_A300は、必要に応じて、記憶部_A340に記憶されている各種プログラムを読み出して実行する事により、UEにおける各種の処理を実現する。
【００４２】
送受信部_A320は、アンテナを介して、アクセスネットワーク内の基地局装置(eNB又はgNB)と無線通信する為の機能部である。すなわち、UEは、送受信部_A320を用いて、アクセスネットワーク装置、及び/又はコアネットワーク装置、及び/又はPDN、及び/又はDNとの間で、ユーザデータ及び/又は制御情報を送受信することができる。
【００４３】
図2を参照して詳細に説明すると、UEは、送受信部_A320を用いることにより、LTE-Uuインターフェースを介して、E-UTRAN内の基地局装置(eNB)と通信することができる。また、UEは、送受信部_A320を用いることにより、5G AN内の基地局装置(gNB)と通信することができる。また、UEは、送受信部_A320を用いることにより、N1インターフェースを介してAMFとNAS(Non-Access-Stratum)メッセージの送受信をすることができる。ただし、N1インターフェースは論理的なものであるため、実際には、UEとAMFの間の通信は、5G ANを介して行われる。
【００４４】
記憶部_A340は、UEの各動作に必要なプログラム、ユーザデータ、制御情報等を記憶する為の機能部である。
【００４５】
[2.2. gNBの装置構成]
次に、gNBの装置構成例について、図4を用いて説明する。gNB は、制御部_B500、アンテナ510、ネットワーク接続部_B520、送受信部_B530、記憶部_B540で構成されている。制御部_B500、ネットワーク接続部_B520、送受信部_B530、記憶部_B540は、バスを介して接続されている。送受信部_B530は、アンテナ510と接続している。
【００４６】
制御部_B500は、gNB全体の動作・機能を制御する機能部である。制御部_B500は、必要に応じて、記憶部_B540に記憶されている各種プログラムを読み出して実行する事により、gNBにおける各種の処理を実現する。
【００４７】
ネットワーク接続部_B520は、gNBが、AMF及び/又はUPFと通信する為の機能部である。すなわち、gNBは、ネットワーク接続部_B520を用いて、AMF及び/又はUPFとの間で、ユーザデータ及び/又は制御情報を送受信することができる。
【００４８】
送受信部_B530は、アンテナ510を介して、UEと無線通信する為の機能部である。すなわち、gNBは、送受信部_B530を用いて、UEとの間で、ユーザデータ及び/又は制御情報を送受信することができる。
【００４９】
図2を参照して詳細に説明すると、5G AN内にあるgNBは、ネットワーク接続部_B520を用いることにより、N2インターフェースを介して、AMFと通信することができ、N3インターフェースを介して、UPFと通信することができる。また、gNBは、送受信部_B530を用いることにより、UEと通信することができる。
【００５０】
記憶部_B540は、gNBの各動作に必要なプログラム、ユーザデータ、制御情報等を記憶する為の機能部である。
【００５１】
[2.3. AMFの装置構成]
次に、AMFの装置構成例について、図5を用いて説明する。AMFは、制御部_B700、ネットワーク接続部_B720、記憶部_B740で構成されている。制御部_B700、ネットワーク接続部_B720、記憶部_B740は、バスを介して接続されている。AMFは、制御プレーンを扱うノードであってよい。
【００５２】
制御部_B700は、AMF全体の動作・機能を制御する機能部である。制御部_B700は、必要に応じて、記憶部_B740に記憶されている各種プログラムを読み出して実行する事により、AMFにおける各種の処理を実現する。
【００５３】
ネットワーク接続部_B720は、AMFが、5G AN内の基地局装置(gNB)、及び/又はSMF、及び/又はPCF、及び/又はUDM、及び/又はSCEFと接続する為の機能部である。すなわち、AMFは、ネットワーク接続部_B720を用いて、5G AN内の基地局装置(gNB)、及び/又はSMF、及び/又はPCF、及び/又はUDM、及び/又はSCEFとの間で、ユーザデータ及び/又は制御情報を送受信することができる。
【００５４】
図2を参照して詳細に説明すると、5GCN内にあるAMFは、ネットワーク接続部_A620を用いることにより、N2インターフェースを介して、gNBと通信することができ、N8インターフェースを介して、UDMと通信することができ、N11インターフェースを介して、SMFと通信することができ、N15インターフェースを介して、PCFと通信することができる。また、AMFは、ネットワーク接続部_A620を用いることにより、N1インターフェースを介して、UEとNASメッセージの送受信をすることができる。ただし、N1インターフェースは論理的なものであるため、実際には、UEとAMFの間の通信は、5G ANを介して行われる。また、AMFは、N26インターフェースをサポートする場合、ネットワーク接続部_A620を用いることにより、N26インターフェースを介して、MMEと通信することができる。
【００５５】
記憶部_B740は、AMFの各動作に必要なプログラム、ユーザデータ、制御情報等を記憶する為の機能部である。
【００５６】
尚、AMFは、N2インターフェースを用いたRANとの制御メッセージを交換する機能、N1インターフェースを用いたUEとのNASメッセージを交換する機能、NASメッセージの暗号化及び完全性保護を行う機能、登録管理(Registration management; RM)機能、接続管理(Connection management; CM)機能、到達可能性管理(Reachability management)機能、UE等の移動性管理(Mobility management)機能、UEとSMF間のSM(Session Management)メッセージを転送する機能、アクセス認証(Access Authentication、Access Authorization)機能、セキュリティアンカー機能(SEA; Security Anchor Functionality)、セキュリティコンテキスト管理(SCM; Security Context Management)機能、N3IWF(Non-3GPP Interworking Function)に対するN2インターフェースをサポートする機能、N3IWFを介したUEとのNAS信号の送受信をサポートする機能、N3IWFを介して接続するUEの認証する機能等を有する。
【００５７】
また、登録管理では、UEごとのRM状態が管理される。RM状態は、UEとAMFとの間で同期がとられていてもよい。RM状態としては、非登録状態(RM-DEREGISTERED state)と、登録状態(RM-REGISTERED state)がある。RM-DEREGISTERED状態では、UEはネットワークに登録されていないため、AMFにおけるUEコンテキストが、そのUEに対する有効な位置情報やルーティング情報を持っていない為、AMFはUEに到達できない状態である。また、RM-REGISTERED状態では、UEはネットワークに登録されているため、UEはネットワークとの登録が必要なサービスを受信することができる。尚、RM状態は、5GMM状態(5GMM state)と表現されてもよい。この場合、RM-DEREGISTERED状態は、5GMM-DEREGISTERED状態と表現されてもよいし、RM-REGISTERED状態は、5GMM-REGISTERED状態と表現されてもよい。
【００５８】
言い換えると、5GMM-REGISTEREDは、各装置が、5GMMコンテキストを確立した状態であってもよいし、PDUセッションコンテキストを確立した状態であってもよい。尚、各装置が5GMM-REGISTEREDである場合、UE_A10は、ユーザデータや制御メッセージの送受信を開始してもよいし、ページングに対して応答してもよい。さらに、尚、各装置が5GMM-REGISTEREDである場合、UE_A10は、初期登録のための登録手続き以外の登録手続き、及び/又はサービス要求手続きを実行してもよい。
【００５９】
さらに、5GMM-DEREGISTEREDは、各装置が、5GMMコンテキストを確立していない状態であってもよいし、UE_A10の位置情報がネットワークに把握されていない状態であってもよいし、ネットワークがUE_A10に到達不能である状態であってもよい。尚、各装置が5GMM-DEREGISTEREDである場合、UE_A10は、登録手続きを開始してもよいし、登録手続きを実行することで5GMMコンテキストを確立してもよい。
【００６０】
また、接続管理では、UEごとのCM状態が管理される。CM状態は、UEとAMFとの間で同期がとられていてもよい。CM状態としては、非接続状態(CM-IDLE state)と、接続状態(CM-CONNECTED state)がある。CM-IDLE状態では、UEはRM-REGISTERED状態にあるが、N1インターフェースを介したAMFとの間で確立されるNASシグナリング接続(NAS signaling connection)を持っていない。また、CM-IDLE状態では、UEはN2インターフェースの接続(N2 connection)、及びN3インターフェースの接続(N3 connection)を持っていない。一方、CM-CONNECTED状態では、N1インターフェースを介したAMFとの間で確立されるNASシグナリング接続(NAS signaling connection)を持っている。また、CM-CONNECTED状態では、UEはN2インターフェースの接続(N2 connection)、及び/又はN3インターフェースの接続(N3 connection)を持っていてもよい。
【００６１】
さらに、接続管理では、3GPPアクセスにおけるCM状態と、non-3GPPアクセスにおけるCM状態とで分けて管理されてもよい。この場合、3GPPアクセスにおけるCM状態としては、3GPPアクセスにおける非接続状態(CM-IDLE state over 3GPP access)と、3GPPアクセスにおける接続状態(CM-CONNECTED state over 3GPP access)とがあってよい。さらに、non-3GPPアクセスにおけるCM状態としては、non-3GPPアクセスにおける非接続状態(CM-IDLE state over non-3GPP access)と、non-3GPPアクセスにおける接続状態(CM-CONNECTED state over non-3GPP access)とがあってよい。尚、非接続状態はアイドルモード表現されてもよく、接続状態モードはコネクテッドモードと表現されてもよい。
【００６２】
尚、CM状態は、5GMMモード(5GMM mode)と表現されてもよい。この場合、非接続状態は、5GMM非接続モード(5GMM-IDLE mode)と表現されてもよいし、接続状態は、5GMM接続モード(5GMM-CONNECTED mode)と表現されてもよい。さらに、3GPPアクセスにおける非接続状態は、3GPPアクセスにおける5GMM非接続モード(5GMM-IDLE mode over 3GPP access)と表現されてもよいし、3GPPアクセスにおける接続状態は、3GPPアクセスにおける5GMM接続モード(5GMM-CONNECTED mode over 3GPP access)と表現されてもよい。さらに、non-3GPPアクセスにおける非接続状態は、non-3GPPアクセスにおける5GMM非接続モード(5GMM-IDLE mode over non-3GPP access)と表現されてもよいし、non-3GPPアクセスにおける接続状態は、non-3GPPアクセスにおける5GMM接続モード(5GMM-CONNECTED mode over non-3GPP access)と表現されてもよい。尚、5GMM非接続モードはアイドルモード表現されてもよく、5GMM接続モードはコネクテッドモードと表現されてもよい。
【００６３】
また、AMFは、コアネットワーク_B内に1以上配置されてもよい。また、AMFは、1以上のNSI(Network Slice Instance)を管理するNFでもよい。また、AMFは、複数のNSI間で共有される共有CPファンクション(CCNF; Common CPNF(Control Plane Network Function))でもよい。
【００６４】
尚、N3IWFは、UEが5GSに対してnon-3GPPアクセスを介して接続する場合に、non-3GPPアクセスと5GCNとの間に配置される装置及び/又は機能である。
【００６５】
[2.4. SMFの装置構成]
次に、SMFの装置構成例について、図5を用いて説明する。SMFは、制御部_B700、ネットワーク接続部_B720、記憶部_B740で構成されている。制御部_B700、ネットワーク接続部_B720、記憶部_B740は、バスを介して接続されている。SMFは、制御プレーンを扱うノードであってよい。
【００６６】
制御部_B700は、SMF全体の動作・機能を制御する機能部である。制御部_B700は、必要に応じて、記憶部_B740に記憶されている各種プログラムを読み出して実行する事により、SMFにおける各種の処理を実現する。
【００６７】
ネットワーク接続部_B720は、SMFが、AMF、及び/又はUPF、及び/又はPCF、及び/又はUDMと接続する為の機能部である。すなわち、SMFは、ネットワーク接続部_B720を用いて、AMF、及び/又はUPF、及び/又はPCF、及び/又はUDMとの間で、ユーザデータ及び/又は制御情報を送受信することができる。
【００６８】
図2を参照して詳細に説明すると、5GCN内にあるSMFは、ネットワーク接続部_A620を用いることにより、N11インターフェースを介して、AMFと通信することができ、N4インターフェースを介して、UPFと通信することができ、N7インターフェースを介して、PCFと通信することができ、N10インターフェースを介して、UDMと通信することができる。
【００６９】
記憶部_B740は、SMFの各動作に必要なプログラム、ユーザデータ、制御情報等を記憶する為の機能部である。
【００７０】
SMFは、PDUセッションの確立・修正・解放等のセッション管理(Session Management)機能、UEに対するIPアドレス割り当て(IP address allocation)及びその管理機能、UPFの選択と制御機能、適切な目的地(送信先)へトラフィックをルーティングする為のUPFの設定機能、NASメッセージのSM部分を送受信する機能、下りリンクのデータが到着したことを通知する機能(Downlink Data Notification)、AMF経由でN2インターフェースを介してANに送信される、AN特有の(ANごとの)SM情報を提供する機能、セッションに対するSSCモード(Session and Service Continuity mode)を決定する機能、ローミング機能等を有する。
【００７１】
[2.5. UPFの装置構成]
次に、UPFの装置構成例について、図5を用いて説明する。UPFは、制御部_B700、ネットワーク接続部_B720、記憶部_B740で構成されている。制御部_B700、ネットワーク接続部_B720、記憶部_B740は、バスを介して接続されている。UPFは、制御プレーンを扱うノードであってよい。
【００７２】
制御部_B700は、UPF全体の動作・機能を制御する機能部である。制御部_B700は、必要に応じて、記憶部_B740に記憶されている各種プログラムを読み出して実行する事により、UPFにおける各種の処理を実現する。
【００７３】
ネットワーク接続部_B720は、UPFが、5G AN内の基地局装置(gNB)、及び/又はSMF、及び/又はDNと接続する為の機能部である。すなわち、UPFは、ネットワーク接続部_B720を用いて、5G AN内の基地局装置(gNB)、及び/又はSMF、及び/又はDNとの間で、ユーザデータ及び/又は制御情報を送受信することができる。
【００７４】
図2を参照して詳細に説明すると、5GCN内にあるUPFは、ネットワーク接続部_A620を用いることにより、N3インターフェースを介して、gNBと通信することができ、N4インターフェースを介して、SMFと通信することができ、N6インターフェースを介して、DNと通信することができ、N9インターフェースを介して、他のUPFと通信することができる。
【００７５】
記憶部_B740は、UPFの各動作に必要なプログラム、ユーザデータ、制御情報等を記憶する為の機能部である。
【００７６】
UPFは、intra-RAT mobility又はinter-RAT mobilityに対するアンカーポイントとしての機能、DNに相互接続するための外部PDUセッションポイントとしての機能(つまり、DNとコアネットワーク_Bとの間のゲートウェイとして、ユーザデータを転送する機能)、パケットのルーティング及び転送する機能、1つのDNに対して複数のトラフィックフローのルーティングをサポートするUL CL(Uplink Classifier)機能、マルチホーム(multi-homed)PDUセッションをサポートするBranching point機能、user planeに対するQoS (Quality of Service) 処理機能、上りリンクトラフィックの検証機能、下りリンクパケットのバッファリング、下りリンクデータ通知(Downlink Data Notification)をトリガする機能等を有する。
【００７７】
また、UPFは、IP通信及び/又はnon-IP通信の為のゲートウェイでもよい。また、UPFは、IP通信を転送する機能を持ってもよく、non-IP通信とIP通信を変換する機能を持っていてもよい。さらに複数配置されるゲートウェイは、コアネットワーク_Bと単一のDNを接続するゲートウェイでもよい。尚、UPFは、他のNFとの接続性を備えてもよく、他のNFを介して各装置に接続してもよい。
【００７８】
尚、ユーザプレーン(user plane)は、UEとネットワークとの間で送受信されるユーザデータ(user data)のことである。ユーザプレーンは、PDNコネクション、又はPDUセッションを用いて送受信されてもよい。さらに、EPSの場合、ユーザプレーンは、LTE-Uuインターフェース、及び/又はS1-Uインターフェース、及び/又はS5インターフェース、及び/又はS8インターフェース、及び/又はSGiインターフェースを用いて送受信されてもよい。さらに、5GSの場合、ユーザプレーンは、UEとNG RANとの間のインターフェース、及び/又はN3インターフェース、及び/又はN9インターフェース、及び/又はN6インターフェースを介して送受信されてもよい。以下、ユーザプレーンは、U-Planeと表現されてもよい。
【００７９】
さらに、制御プレーン(control plane)は、UEの通信制御等を行うために送受信される制御メッセージのことである。制御プレーンは、UEとMMEとの間のNAS (Non-Access-Stratum)シグナリングコネクションを用いて送受信されてもよい。さらに、EPSの場合、制御プレーンは、LTE-Uuインターフェース、及びS1-MMEインターフェースを用いて送受信されてもよい。さらに、5GSの場合、制御プレーンは、UEとNG RANとの間のインターフェース、及びN2インターフェースを用いて送受信されてもよい。以下、制御プレーンは、コントロールプレーンと表現されてもよいし、C-Planeと表現されてもよい。
【００８０】
さらに、U-Plane(User Plane; UP)は、ユーザデータを送受信する為の通信路でもよく、複数のベアラで構成されてもよい。さらに、C-Plane(Control Plane; CP)は、制御メッセージを送受信する為の通信路でもよく、複数のベアラで構成されてもよい。
【００８１】
[2.6. その他の装置及び/又は機能の説明]
次に、その他の装置及び/又は機能について説明を行う。
【００８２】
PCFは、ポリシールールを提供する機能等を有する。
【００８３】
また、UDMは、認証情報処理(Authentication credential processing)機能、ユーザ識別処理機能、アクセス認証機能、登録/移動性管理機能、加入者情報の管理(subscription management)機能等を有する。
【００８４】
また、PCRFは、PGW及び/又はPDNに接続されており、データ配送に対するQoS管理を行う機能等を有する。例えば、UE_A10とPDN間の通信路のQoSの管理を行う。さらに、PCRFは、各装置がユーザデータを送受信する際に用いるPCC(Policy and Charging Control)ルール、及び/又はルーティングルールを作成、及び/又は管理する装置でもよい。
【００８５】
また、HSSは、MME及び/又はSCEFに接続されており、加入者情報の管理を行う機能等を有する。HSSの加入者情報は、例えばMMEのアクセス制御の際に参照される。さらに、HSSは、MMEとは異なる位置管理装置と接続されていてもよい。
【００８６】
また、SCEFは、DN及び/又はPDNとMMEとHSSとに接続されており、DN及び/又はPDNとコアネットワーク_Aとを繋ぐゲートウェイとしてユーザデータの転送を行う中継装置としての機能等を有する。尚、SCEFは、non-IP通信の為のゲートウェイでもよい。さらに、SCEFは、non-IP通信とIP通信を変換する機能を持っていてもよい。また、こうしたゲートウェイはコアネットワーク_Aに複数配置されてよい。SCEFはコアネットワークの外側に構成されてもよいし、内側に構成されてもよい。
【００８７】
[3. 各実施形態で用いられる用語・識別情報、手続きの説明]
各実施形態で、少なくとも1つは用いられる用語・識別情報、手続きを予め説明する。
【００８８】
[3.1. 各実施形態で用いられる用語・識別情報の説明]
まず、各実施形態で用いられる、専門性の高い用語や、手続きで使用される識別情報について、予め説明する。
【００８９】
ネットワークとは、アクセスネットワーク_B、コアネットワーク_B、DNのうち、少なくとも一部を指す。また、アクセスネットワーク_B、コアネットワーク_B、DNのうち、少なくとも一部に含まれる1以上の装置を、ネットワーク又はネットワーク装置と称してもよい。つまり、ネットワークがメッセージの送受信及び/又は処理を実行するということは、ネットワーク内の装置(ネットワーク装置、及び/又は制御装置)がメッセージの送受信及び/又は処理を実行することを意味してもよい。逆に、ネットワーク内の装置がメッセージの送受信及び/又は処理を実行するということは、ネットワークがメッセージの送受信及び/又は処理を実行することを意味してもよい。
【００９０】
また、SM(セッションマネジメント)メッセージ(NAS (Non-Access-Stratum) SMメッセージとも称する)は、SMのための手続きで用いられるNASメッセージであってよく、AMF_A240を介してUE_A10とSMF_A230の間で送受信される制御メッセージであってよい。さらに、SMメッセージには、PDUセッション確立要求メッセージ、PDUセッション確立受諾メッセージ、PDUセッション完了メッセージ、PDUセッション拒絶メッセージ、PDUセッション変更要求メッセージ、PDUセッション変更受諾メッセージ、PDUセッション変更応答メッセージ等が含まれてもよい。また、SMのための手続きには、PDUセッション確立手続きが含まれてもよい。
【００９１】
また、5GS(5G System)サービスは、コアネットワーク_B190を用いて提供される接続サービスでよい。さらに、5GSサービスは、EPSサービスと異なるサービスでもよいし、EPSサービスと同様のサービスでもよい。
【００９２】
また、non 5GSサービスは、5GSサービス以外のサービスでよく、EPSサービス、及び/又はnon EPSサービスが含まれてもよい。
【００９３】
また、シングルレジストレーションモードは、UE_A10が、N1モードとS1モードが利用可能な場合に、5GMM状態とEMM状態に対して、共通の登録状態を維持するモードである。
【００９４】
また、デュアルレジストレーションモードは、UE_A10が、N1モードとS1モードが利用可能な場合に、5GMM状態とEMM状態とを独立して登録状態を維持するモードである。尚、UE_A10は、デュアルレジストレーションモードの場合、N1モードのみでネットワークに登録(つまり5GCだけに登録)されていてもよいし、S1モードのみでネットワークに登録(EPCだけに登録)されていてもよいし、N1モードとS1モードの両方でネットワークに登録(5GCとEPCの両方に登録)されていてもよい。
【００９５】
また、5GSとEPCとのインターワークするために、5GCとEPC NASの両方をサポートするUEは、シングルレジストレーションモード、又はデュアルレジストレーションモードで動作することができる。 
【００９６】
また、S1モードは、UE_A10に対して、E-UTRANを介したEPCへのアクセスを許可したモードである。言い換えると、S1モードは、S1インターフェースを用いたメッセージの送受信が実行されるモードであってもよい。尚、S1インターフェースは、S1-MMEインターフェース及びS1-Uインターフェースで構成されて良い。
【００９７】
また、N1モードは、UE_A10に対して、5Gアクセスネットワークを介した5GCへのアクセスを許可したモードである。言い換えると、N1モードは、N1インターフェースを用いたメッセージの送受信が実行されるモードであってもよい。
【００９８】
また、APN(Access Point Name)は、コアネットワーク及び/又はPDN等の外部ネットワークを識別する識別情報でよい。さらに、APNは、コアネットワークA_90を接続するPGW_A30/UPF_A235等のゲートウェイを選択する情報として用いることもできる。
【００９９】
また、PDN(Packet Data Network)タイプとは、PDNコネクションのタイプを示すものであり、IPv4、IPv6、IPv4v6、non-IPがある。IPv4が指定された場合、IPv4を用いてデータの送受信を行う事を示す。IPv6が指定された場合は、IPv6を用いてデータの送受信を行う事を示す。IPv4v6が指定された場合は、IPv4又はIPv6を用いてデータの送受信を行う事を示す。non-IPが指定された場合は、IPを用いた通信ではなく、IP以外の通信方法によって通信する事を示す。
【０１００】
また、PDU(Protocol Data Unit/Packet Data Unit)セッションとは、PDU接続性サービスを提供するDNとUEとの間の関連性として定義することができるが、UEと外部ゲートウェイとの間で確立される接続性であってもよい。UEは、5GSにおいて、アクセスネットワーク_B及びコアネットワーク_Bを介したPDUセッションを確立することにより、PDUセッションを用いて、DNとの間のユーザデータの送受信を行うことができる。ここで、この外部ゲートウェイとは、UPF、SCEF等であってよい。UEは、PDUセッションを用いて、DNに配置されるアプリケーションサーバー等の装置と、ユーザデータの送受信を実行する事ができる。
【０１０１】
尚、各装置(UE、及び/又はアクセスネットワーク装置、及び/又はコアネットワーク装置)は、PDUセッションに対して、1以上の識別情報を対応づけて管理してもよい。尚、これらの識別情報には、DNN、QoSルール、PDUセッションタイプ、アプリケーション識別情報、NSI識別情報、アクセスネットワーク識別情報、及びSSC modeのうち1以上が含まれてもよいし、その他の情報がさらに含まれてもよい。さらに、PDUセッションを複数確立する場合には、PDUセッションに対応づけられる各識別情報は、同じ内容でもよいし、異なる内容でもよい。
【０１０２】
また、DNN(Data Network Name)は、コアネットワーク及び/又はDN等の外部ネットワークを識別する識別情報でよい。さらに、DNNは、コアネットワークB190を接続するPGW_A30/UPF_A235等のゲートウェイを選択する情報として用いることもできる。さらに、DNNは、APN(Access Point Name)に相当するものでもよい。
【０１０３】
また、PDU(Protocol Data Unit/Packet Data Unit)セッションタイプは、PDUセッションのタイプを示すものであり、IPv4、IPv6、Ethernet、Unstructuredがある。IPv4が指定された場合、IPv4を用いてデータの送受信を行うことを示す。IPv6が指定された場合は、IPv6を用いてデータの送受信を行うことを示す。Ethernetが指定された場合は、Ethernetフレームの送受信を行うことを示す。また、Ethernetは、IPを用いた通信を行わないことを示してもよい。Unstructuredが指定された場合は、Point-to-Point(P2P)トンネリング技術を用いて、DNにあるアプリケーションサーバー等にデータを送受信することを示す。P2Pトンネリング技術としては、例えば、UDP/IPのカプセル化技術を用いても良い。尚、PDUセッションタイプには、上記の他にIPが含まれても良い。IPは、UEがIPv4とIPv6の両方を使用可能である場合に指定する事ができる。
【０１０４】
また、ネットワークスライス(NS)とは、特定のネットワーク能力及びネットワーク特性を提供する論理的なネットワークである。UE及び/又はネットワークは、5GSにおいて、ネットワークスライス(NWスライス; NS)をサポートすることができる。
【０１０５】
また、ネットワークスライスインスタンス(NSI)とは、ネットワーク機能(NF)のインスタンス(実体)と、必要なリソースのセットで構成され、配置されるネットワークスライスを形成する。ここで、NFとは、ネットワークにおける処理機能であって、3GPPで採用又は定義されたものである。NSIはコアネットワーク_B内に1以上構成される、NSの実体である。また、NSIはNST(Network Slice Template)を用いて生成された仮想的なNF(Network Function)により構成されてもよい。ここで、NSTとは、要求される通信サービスや能力(capability)を提供する為のリソース要求に関連付けられ、1以上のNFの論理的表現である。つまり、NSIとは、複数のNFにより構成されたコアネットワーク_B190内の集合体でよい。また、NSIはサービス等によって配送されるユーザデータを分ける為に構成された論理的なネットワークでよい。NSには、1以上のNFが構成されてよい。NSに構成されるNFは、他のNSと共有される装置であってもよいし、そうでなくてもよい。UE、及び/又ネットワーク内の装置は、NSSAI、及び/又はS-NSSAI、及び/又はUE usage type、及び/又は1以上のNSI ID等の登録情報、及び/又はAPNに基づいて、1以上のNSに割り当てられることができる。尚、UE usage typeは、NSIを識別するための使用される、UEの登録情報に含まれるパラメータ値である。UE usage typeはHSSに記憶されていてよい。AMFはUE usage typeに基づきSMFとUPFを選択してもよい。
【０１０６】
また、S-NSSAI(Single Network Slice Selection Assistance Information)は、NSを識別するための情報である。S-NSSAIは、SST(Slice/Service type)のみで構成されてもよいし、SSTとSD(Slice Differentiator)の両方で構成されてもよい。ここで、SSTとは、機能とサービスの面で期待されるNSの動作を示す情報である。また、SDは、SSTで示される複数のNSIから1つのNSIを選択する際に、SSTを補間する情報であってもよい。S-NSSAIは、PLMNごとに特有な情報であってもよいし、PLMN間で共通化された標準の情報であってもよい。また、ネットワークは、デフォルトS-NSSAIとして、UEの登録情報に1以上のS-NSSAIを記憶してもよい。尚、S-NSSAIがデフォルトS-NSSAIである場合において、UEが登録要求メッセージにおいて有効なS-NSSAIをネットワークに送信しないときは、ネットワークは、UEに関係するNSを提供してもよい。
【０１０７】
また、NSSAI(Network Slice Selection Assistance Information)は、S-NSSAIの集まりである。NSSAIに含まれる、各S-NSSAIはアクセスネットワーク又はコアネットワークがNSIを選択するのをアシストする情報である。UEはPLMNごとにネットワークから許可されたNSSAIを記憶してもよい。また、NSSAIは、AMFを選択するのに用いられる情報であってよい。 
【０１０８】
また、SSC(Session and Service Continuity) modeは、5Gシステム(5GS)において、システム、及び/又は各装置がサポートするセッションサービス継続(Session and Service Continuity)のモードを示すものである。より詳細には、UE_A10とUPFとの間で確立されたPDUセッションがサポートするセッションサービス継続の種類を示すモードであってもよい。なお、SSC modeはPDUセッション毎に設定されるセッションサービス継続の種類を示すモードであってもよい。さらに、SSC modeは、SSC mode 1、SSC mode 2、SSC mode 3の3つのモードから構成されていてもよい。尚、PDUセッションに対応づけられたSSC modeは、PDUセッションが存続している間は、変更されなくてもよい。
【０１０９】
また、5GMM-CONNECTED mode with RRC inactive indicationは、RRCレイヤが非有効化(inactive)な状態にも関わらず、NASレイヤの状態がコネクティッド状態であることを示す状態である。言い換えると、5GMM-CONNECTED mode with RRC inactive indicationは、NASシグナリングコネクション、及び/又はNASシグナリングコネクションのコンテキストを維持しつつ、無線ベアラが解放された状態である。
【０１１０】
尚、5GMM-CONNECTED mode with RRC inactive indicationのサポートとは、RRCレイヤが非有効化になったことを示す通知を下位レイヤから受けた場合でも、NASレイヤの状態をコネクティッド状態に維持することがサポートされていることを意味してもよい。さらに、5GMM-CONNECTED mode with RRC inactive indicationの使用とは、RRCレイヤが非有効化になったことを示す通知を下位レイヤから受けた場合でも、NASレイヤの状態をコネクティッド状態に維持することを意味してもよい。
【０１１１】
トラッキングエリアは、コアネットワークが管理する、UE_A10の位置情報で表すことが可能な単数又は複数の範囲である。トラッキングエリアは、複数のセルで構成されもよい。さらに、トラッキングエリアは、ページング等の制御メッセージがブロードキャストされる範囲でもよいし、UE_A10がハンドオーバー手続きをせずに移動できる範囲でもよい。さらに、トラッキングエリアは、ルーティングエリアでもよいし、ロケーションエリアでもよいし、これらと同様のものであればよい。以下、トラッキングエリアはTA(Tracking Area)であってもよい。
【０１１２】
TAリストは、ネットワークがUE_A10に割り当てた一又は複数のTAが含まれるリストである。なお、UE_A10は、TAリストに含まれる一又は複数のTA内を移動している間は、トラッキングエリア更新手続きを実行することなく移動することができてよい。言い換えると、UE_A10は、TAリストは、UE_A10がトラッキングエリア更新手続きを実行することなく移動できるエリアを示す情報群であってよい。尚、TAリストは、一又複数のTAI (Tracking area identity) で構成されるTAIリストと表現されてもよく、以下、TAIリストは、TAリストを指してもよい。
【０１１３】
LADN (Local Area Data Network) とは、特定の場所においてのみUEが接続可能なDNであり、特定のDNN(つまりLADN DNN)に対する接続性を提供するものである。LADNは、特定の場所において、特定のDNNに対応づけられたPDUセッションを用いることで接続可能なDNであってよい。さらに、LADNは、特定の場所において、特定のDNNと特定のS-NSSAIとの組合せに対応づけられたPDUセッションを用いることで接続可能なDNであってよい。
【０１１４】
LADN情報は、LADNに関連する情報である。LADN情報は、UEが利用可能な特定のLADNを示す情報であってもよい。LADN情報には、LADN DNNと、LADNサービスエリア情報とが含まれてよい。より詳細には、LADN情報には、一又は複数の、LADN毎に存在する情報（以下では、LADNを示す情報と称す）が含まれてよい。さらに、LADNを示す情報には、LADN DNNと、LADNサービスエリア情報とが含まれてよい。ここで、LADN DNNは、LADNを識別する情報であってもよく、LADNとして扱われるDNを識別する情報であってもよく、LADNに対してPDUセッションを確立する際に用いるDNNであってよい。
【０１１５】
尚、LADN情報が従来のLADN情報である場合、LADN情報は、上記で説明した構成の情報であってよい。具体的には、LADN情報が従来のLADN情報である場合、LADNサービスエリアは、従来のLADNサービスエリアであってよい。
【０１１６】
逆に、LADN情報が拡張されたLADN情報である場合、LADN情報は、上記で説明した構成の一部が拡張された情報であってよい。具体的には、LADN情報が拡張されたLADN情報である場合、LADNサービスエリアは、拡張されたLADNサービスエリアであってよい。さらに、LADN情報が拡張されたLADN情報である場合、LADNを示す情報は、LADNサービスエリアが有効である期間を示す情報、及び/又はLADNサービスエリアの粒度を示す情報を、さらに含んでもよい。さらに、LADN情報が拡張されたLADN情報である場合、LADNを示す情報は、S-NSSAIを、さらに含んでもよい。
【０１１７】
LADNサービスエリア (LADN service area) は、LADNに対するPDUセッションの確立が可能なエリアである。LADNサービスエリアは、LADNへの接続が可能なエリアであってもよい。さらに、LADNサービスエリアは、LADNサービスエリア情報によって示されるエリアであってもよい。ここで、LADNサービスエリア情報は、LADNサービスエリアを識別する情報であってよく、トラッキングエリアのセットとして提供されてもよいし、TAI (Tracking area identity) listとして提供されてもよい。
【０１１８】
尚、LADNサービスエリアが従来のLADNサービスエリアである場合、LADNサービスエリアは、現在、UEが接続しているレジストレーションエリアに属するトラッキングエリアによって構成されるエリアであってよい。言い換えると、LADNサービスエリアが従来のLADNサービスエリアである場合、LADNサービスエリアは、一又は複数のトラッキングエリアによって構成されるエリアであってもよい。逆に、LADNサービスエリアが拡張されたLADNサービスエリアである場合、LADNサービスエリアは、前記トラッキングエリアによって構成されるエリアであってもよいし、前記トラッキングエリア内の一部の基地局によってカバーされるエリアであってもよい。さらに、LADNサービスエリアが拡張されたLADNサービスエリアである場合、LADNサービスエリアは、前記トラッキングエリアによって構成されるエリア以外のサイズのエリアであってもよいし、トラッキングエリアに依存しないエリアであってもよい。言い換えると、LADNサービスエリアが拡張されたLADNサービスエリアである場合、LADNサービスエリアは、一又は複数のトラッキングエリアによって構成されるエリアであってもよいし、一又は複数のトラッキングエリアによって構成されるエリアとは異なるエリアであってもよい。
【０１１９】
さらに、LADNサービスエリアが、一又は複数のトラッキングエリアによって構成されるエリアである場合、LADNサービスエリア情報は、一又は複数のトラッキングエリアIDによって構成されるトラッキングエリアIDリストであってよい。逆に、LADNサービスエリアが、一又は複数のトラッキングエリアによって構成されるエリアとは異なるエリアである場合、LADNサービスエリア情報は、RAN (Radio Access Network) のアシストが必要な情報であってもよく、RANのアシストが必要ではない情報であってもよい。ここで、RANのアシストが必要な情報は、セルの情報であってもよいし、基地局の情報であってもよい。さらに、RANのアシストが必要な情報は、セルIDであってもよいし、基地局IDであってもよい。さらに、RANのアシストが必要な情報は、これらに限らず、RANで定義される情報であってもよい。さらに、RANのアシストが必要ではない情報は、物理的な位置情報であってよく、アプリケーションによって取得可能な位置情報であってもよい。さらに、RANのアシストが必要ではない情報は、これらに限らず、RAN以外で取得可能な情報であってもよい。ここで、RANのことをアクセスネットワークと表現してもよい。逆に、アクセスネットワークのことをRANと称してもよい。
【０１２０】
LADNサービスエリアの拡張とは、従来のLADNサービスエリアとは異なる粒度のLADNサービスエリアを用いることを意味してもよい。さらに、LADNサービスエリアの拡張とは、従来のLADN情報とは異なる、拡張されたLADN情報を用いることを意味してもよい。さらに、LADNサービスエリアの拡張とは、従来のLADNと異なる、拡張されたLADNに接続すること意味してもよい。
【０１２１】
つまり、各装置がLADNサービスエリアの拡張をサポートしている場合、従来のLADNサービスエリアに加え、従来のLADNサービスエリアとは異なる、拡張されたLADNサービスエリアも適応可能であってもよい。さらに、各装置がLADNサービスエリアの拡張をサポートしている場合、従来のLADN情報に加え、従来のLADN情報とは異なる、拡張されたLADN情報も使用可能であってもよい。さらに、各装置がLADNサービスエリアの拡張をサポートしている場合、従来のLADNに加え、従来のLADNと異なる、拡張されたLADNに接続可能であってもよい。
【０１２２】
逆に、各装置の内の一部がLADNサービスエリアの拡張をサポートしていない場合、拡張されたLADNサービスエリアの適応が可能ではなく、従来のLADNサービスエリアのみが適応可能であってよい。さらに、各装置の内の一部がLADNサービスエリアの拡張をサポートしていない場合、拡張されたLADN情報の使用が可能ではなく、従来のLADN情報のみが使用可能であってよい。さらに、各装置の内の一部がLADNサービスエリアの拡張をサポートしていない場合、拡張されたLADNへの接続が可能ではなく、従来のLADNへの接続のみが可能であってよい。
【０１２３】
また、各装置がLADNサービスエリアの拡張の利用制限をサポートしている場合、拡張されたLADNサービスエリアの適応が可能ではなく、従来のLADNサービスエリアのみが適応可能であってよい。さらに、各装置がLADNサービスエリアの拡張の利用制限をサポートしている場合、拡張されたLADN情報の使用が可能ではなく、従来のLADN情報のみが使用可能であってよい。さらに、各装置がLADNサービスエリアの拡張の利用制限をサポートしている場合、拡張されたLADNへの接続が可能ではなく、従来のLADNへの接続のみが可能であってよい。
【０１２４】
逆に、各装置がLADNサービスエリアの拡張の利用制限をサポートしていない場合、拡張されたLADNサービスエリアも適応可能であってもよい。さらに、各装置がLADNサービスエリアの拡張の利用制限をサポートしていない場合、拡張されたLADN情報も使用可能であってもよい。さらに、各装置がLADNサービスエリアの拡張の利用制限をサポートしていない場合、拡張されたLADNに接続可能であってもよい。
【０１２５】
LADNのためのPDUセッション(PDU session for LADN) は、LADNに関連づけられたDNNに対応づけられたPDUセッションである。LADNのためのPDUセッションは、LADNに対して確立されるPDUセッションであってよい。言い換えると、UEとLADNとの間に確立されるPDUセッションであってもよいし、UEとLADNとの間のユーザデータ通信に用いられるPDUセッションであってもよい。尚、LADNのためのPDUセッションは、LADN service areaにおいてのみ確立可能なPDUセッションであってもよい。言い換えると、UEは、特定の場所において、特定のDNNを用いることで、LADNのためのPDUセッションが確立可能であってよい。さらに、言い換えると、UEは、特定の場所において、特定のDNNと特定のS-NSSAIとの組合せを用いることで、LADNのためのPDUセッションが確立可能であってよい。
【０１２６】
第1の識別情報は、UEがLADNサービスエリアの拡張をサポートするか否かを示す情報である。第1の識別情報は、LADNサービスエリアの拡張をサポートすることを示すビットであってもよいし、LADNサービスエリアの拡張をサポートしないことを示すビットであってもよい。
【０１２７】
また、第1の識別情報は、UEがLADNサービスエリアの拡張の利用制限をサポートするか否かを示す情報であってもよい。さらに、第1の識別情報は、LADNサービスエリアの拡張の利用制限をサポートすることを示すビットであってもよいし、LADNサービスエリアの拡張の利用制限をサポートしないことを示すビットであってもよい。
【０１２８】
さらに、第1の識別情報は、5GでのUEの能力を示す、5GMM能力情報要素 (5GMM capability information element) を構成するビットでもよい。さらに、第1の識別情報は、UEの能力情報、及び/又はUEの設定、及び/又はUEの状態、及び/又はユーザポリシー、及び/又はアプリケーションの要求に基づいて、選択、決定される情報であってもよい。
【０１２９】
第2の識別情報は、LADNインディケーションである。第2の識別情報は、LADN情報の要求を示す情報である。第2の識別情報は、LADN情報を要求するか否かを示す情報であってもよい。さらに、第2の識別情報は、要求するLADN DNNを示す情報であってもよい。さらに、第2の識別情報は、要求するLADNサービングエリアを示す情報であってもよい。
【０１３０】
さらに、第2の識別情報は、LADN情報の更新の要求を示す情報であってもよいし、更新後のLADN情報を示す情報であってもよい。さらに、第2の識別情報は、LADN情報の削除の要求を示す情報であってもよい。
【０１３１】
さらに、第2の識別情報は、LADNインディケーションを含む情報要素であってもよい。さらに、LADNインディケーションを含む情報要素は、LADNインディケーション情報要素であってもよい。尚、LADNインディケーション情報要素には、一又複数のLADN DNNが含まれていてもよい。逆に、LADNインディケーション情報要素は、LADN DNNを含まない情報要素であってもよい。言い換えると、LADNインディケーション情報要素は、特定のLADN DNNを含まない情報要素であってもよい。
【０１３２】
さらに、第2の識別情報は、5GでのUEの能力を示す、5GMM能力情報要素 (5GMM capability information element) を構成するビットでもよい。さらに、第2の識別情報は、UEの能力情報、及び/又はUEの設定、及び/又はUEの状態、及び/又はユーザポリシー、及び/又はアプリケーションの要求に基づいて、選択、決定される情報であってもよい。
【０１３３】
第11の識別情報は、ネットワークがLADNサービスエリアの拡張をサポートするか否かを示す情報である。第11の識別情報は、LADNサービスエリアの拡張をサポートすることを示すビットであってもよいし、LADNサービスエリアの拡張をサポートしないことを示すビットであってもよい。
【０１３４】
また、第11の識別情報は、ネットワークがLADNサービスエリアの拡張の利用制限をサポートするか否かを示す情報であってもよい。さらに、第11の識別情報は、LADNサービスエリアの拡張の利用制限をサポートすることを示すビットであってもよいし、LADNサービスエリアの拡張の利用制限をサポートしないことを示すビットであってもよい。
【０１３５】
さらに、第11の識別情報は、5Gでのネットワークの能力を示す、5GSネットワーク機能サポート情報要素 (5GS network feature support information element) を構成するビットでもよい。さらに、第11の識別情報は、ネットワークによって、受信した第1の識別情報、及び/又はDNに対応づけられた情報、及び/又はNSIに対応づけられた情報、及び/又はネットワークの能力情報、及び/又はオペレータポリシー、及び/又はネットワークの状態、及び/又はユーザの登録情報等に基づいて、選択、決定される情報であってもよい。さらに、第11の識別情報は、本手続きにおいて、ネットワークが選択した他の識別情報に基づいて、選択、決定される情報であってもよい。
【０１３６】
第12の識別情報は、LADN情報である。第12の識別情報は、ネットワークが許可したLADN情報であってよく、有効であるLADN情報であってもよい。さらに、第12の識別情報は、UEが接続しているレジストレーションエリアにおいて、LADNサービスエリアが存在する場合に送受信される情報であってもよい。
【０１３７】
さらに、第1の識別情報、及び/又は第11の識別情報が、LADNサービスエリアの拡張をサポートすること示す情報である場合、第12の識別情報は、従来のLADN情報とは異なる、拡張されたLADN情報であってもよい。逆に、第1の識別情報、及び/又は第11の識別情報が、LADNサービスエリアの拡張をサポートしないこと示す情報である場合、第12の識別情報は、従来のLADN情報であってよい。
【０１３８】
また、第1の識別情報、及び/又は第11の識別情報が、LADNサービスエリアの拡張の利用制限をサポートすること示す情報である場合、第12の識別情報は、従来のLADN情報であってよい。逆に、第1の識別情報、及び/又は第11の識別情報が、LADNサービスエリアの拡張の利用制限をサポートしないこと示す情報である場合、第12の識別情報は、従来のLADN情報とは異なる、拡張されたLADN情報であってもよい。
【０１３９】
さらに、第12の識別情報は、受信した識別情報、及び/又はDNに対応づけられた情報、及び/又はNSIに対応づけられた情報、及び/又はネットワークの能力情報、及び/又はオペレータポリシー、及び/又はネットワークの状態、及び/又はユーザの登録情報等に基づいて、ネットワークによって、選択、決定される情報であってもよい。さらに、第12の識別情報は、本手続きにおいて、ネットワークが選択した他の識別情報に基づいて、選択、決定される情報であってもよい。
【０１４０】
さらに、第12の識別情報は、LADN情報を含む情報要素であってもよい。さらに、LADN情報を含む情報要素は、LADNインフォメーション情報要素であってもよい。尚、LADNインフォメーション情報要素には、一又複数のLADN DNNが含まれていてもよい。逆に、LADNインフォメーション情報要素は、LADN DNNを含まない情報要素であってもよい。言い換えると、LADNインフォメーション情報要素は、特定のLADN DNNを含まない情報要素であってもよい。
【０１４１】
第13の識別情報は、LADNサービスエリアの粒度を示す情報である。第13の識別情報は、LADNサービスエリアのサイズを示す情報であってもよい。さらに、第13の識別情報は、第12の識別情報と対応づけられて送受信されてもよいし、第12の識別情報に含まれるLADN毎に存在する情報（以下では、LADNを示す情報と称す）と対応づけられて送受信されてもよい。さらに、第13の識別情報は、LADNを示す情報毎に送受信されてもよい。この場合、第13の識別情報は、LADNを示す情報毎に異なってもよいし、複数のLADNを示す情報間で同じであってもよい。
【０１４２】
尚、第13の識別情報が、LADNを示す情報と対応づけられて送受信される場合、第13の識別情報は、LADNを示す情報に含まれるLADNサービスエリア情報（以下では、LADNサービスエリア情報と称す）の粒度を示す情報であってもよい。
【０１４３】
例えば、第13の識別情報は、LADNサービスエリアとして、一又複数のトラッキングエリアによって構成されるエリアが使用されることを示す情報であってもよい。この場合、LADNサービスエリア情報には、一又は複数のトラッキングエリアIDによって構成されるトラッキングエリアIDリストが設定されてもよい。
【０１４４】
さらに、第13の識別情報は、LADNサービスエリアとして、一又複数のトラッキングエリアによって構成されるエリアとは異なるエリアが使用されることを示す情報であってもよい。この場合、LADNサービスエリア情報には、RANのアシストが必要な情報が設定されてもよいし、RANのアシストが必要ではない情報が設定されてもよい。
【０１４５】
さらに、第13の識別情報は、LADNサービスエリアとして、トラッキングエリア内の一部の基地局によってカバーされるエリアが使用されることを示す情報であってもよい。この場合、LADNサービスエリア情報には、セルID、及び/又は一又は複数のセルIDによって構成されるセルIDリストが設定されてもよい。
【０１４６】
さらに、第13の識別情報は、LADNサービスエリアとして、トラッキングエリアに依存せずに設定されたエリアが使用されることを示す情報であってもよい。この場合、LADNサービスエリア情報には、物理的な位置情報が設定されてもよい。
【０１４７】
ここで、第13の識別情報が送受信されない、及び/又は第13の識別情報が無効な情報である場合、LADNサービスエリアとして、一又複数のトラッキングエリアによって構成されるエリアが使用されてもよい。さらに、LADNサービスエリア情報には、一又は複数のトラッキングエリアIDによって構成されるトラッキングエリアIDリストが設定されてもよい。尚、第13の識別情報によって示される粒度、及び/又はLADNサービスエリア情報は、これらに限らなくてよい。
【０１４８】
さらに、第13の識別情報は、ネットワークによって、受信した第1の識別情報、及び/又はDNに対応づけられた情報、及び/又はNSIに対応づけられた情報、及び/又はネットワークの能力情報、及び/又はオペレータポリシー、及び/又はネットワークの状態、及び/又はユーザの登録情報等に基づいて、選択、決定される情報であってもよい。さらに、第13の識別情報は、本手続きにおいて、ネットワークが選択した他の識別情報に基づいて、選択、決定される情報であってもよい。
【０１４９】
第14の識別情報は、LADNサービスエリアが有効である期間を示す情報である。第14の識別情報は、LADNサービスエリアが、現在有効であるか否かを示す情報であってもよい。さらに、第14の識別情報は、第12の識別情報と対応づけられて送受信されてもよいし、第12の識別情報に含まれるLADN毎に存在する情報（以下では、LADNを示す情報と称す）と対応づけられて送受信されてもよい。さらに、第14の識別情報は、LADNを示す情報毎に送受信されてもよい。この場合、第14の識別情報は、LADNを示す情報毎に異なってもよいし、複数のLADNを示す情報間で同じであってもよい。
【０１５０】
ここで、LADNサービスエリアが有効である期間を示す情報とは、LADNサービスエリアが有効である時間を示す情報であってもよいし、具体的な日時によって示された期間を示す情報であってもよい。さらに、LADNサービスエリアが有効である期間を示す情報は、特定の時間帯を示す情報であってもよいし、特定の曜日を示す情報であってもよい。さらに、LADNサービスエリアが有効である期間を示す情報は、特定の日を示す情報であってもよいし、特定の週を示す情報であってもよい。さらに、LADNサービスエリアが有効である期間を示す情報は、特定の月を示す情報であってもよいし、特定の年を示す情報であってもよい。
【０１５１】
ここで、第14の識別情報が送受信されない、及び/又は第14の識別情報が無効な情報である場合、LADNサービスエリアが有効である期間は、LADN情報、及び/又はLADNを示す情報が更新されるまでの間であってもよい。尚、LADNサービスエリアが有効である期間を示す情報は、これらに限らなくてよい。
【０１５２】
さらに、第14の識別情報は、ネットワークによって、受信した第1の識別情報、及び/又はDNに対応づけられた情報、及び/又はNSIに対応づけられた情報、及び/又はネットワークの能力情報、及び/又はオペレータポリシー、及び/又はネットワークの状態、及び/又はユーザの登録情報等に基づいて、選択、決定される情報であってもよい。さらに、第14の識別情報は、本手続きにおいて、ネットワークが選択した他の識別情報に基づいて、選択、決定される情報であってもよい。
【０１５３】
第15の識別情報は、LADN失敗インディケーションである。第15の識別情報は、LADNインディケーション情報要素に含まれるLADN DNNのためのLADN情報の要求が失敗したことを示す情報であってもよい。言い換えると、第15の識別情報は、第2の識別情報に含まれるLADN DNNの内、一又複数のLADN DNNのためのLADN情報の要求が失敗したことを示す情報であってもよい。
【０１５４】
さらに、第15の識別情報は、LADN情報の要求が失敗したLADN DNNを示す情報であってもよい。言い換えると、第15の識別情報は、第12の識別情報に含まれるLADN DNNの内、LADN情報の要求が失敗したLADN DNNを示す情報であってもよい。
【０１５５】
さらに、第15の識別情報は、一又複数のLADN DNNが含まれる情報であってもよい。
【０１５６】
さらに、第15の識別情報は、LADN失敗インディケーションを含む情報要素であってもよい。さらに、LADN失敗インディケーションを含む情報要素は、LADN失敗インディケーション情報要素であってもよい。尚、LADN失敗インディケーション情報要には、一又複数のLADN DNNが含まれていてもよい。
【０１５７】
さらに、第15の識別情報は、ネットワークによって、受信した第2の識別情報、ネットワークが保持するDNNリストに基づいて、選択、決定される情報であってもよい。ここで、ネットワークが保持するDNNリストは、UEの加入者情報に対応づけられたDNNのリストであってよい。
【０１５８】
具体的には、ネットワークは、第2の識別情報に含まれるLADN DNNの内、一又複数のLADN DNNが、ネットワークが保持するDNNリストに含まれるDNNのいずれにも合致しない場合、前記LADN DNNを第15の識別情報に含めてもよい。言い換えると、ネットワークは、第2の識別情報に含まれ、さらに、ネットワークが保持するDNNリストに含まれるDNNのいずれにも合致しないLADN DNNが、一又は複数存在する場合、前記LADN DNNを第15の識別情報に含めてもよい。
【０１５９】
さらに、第15の識別情報は、ネットワークによって、受信した第2の識別情報、ネットワークに設定されたLADN DNNに基づいて、選択、決定される情報であってもよい。
【０１６０】
具体的には、ネットワークは、第2の識別情報に含まれるLADN DNNの内、一又複数のLADN DNNが、ネットワークに設定されたLADN DNNに含まれるDNNのいずれにも合致しない場合、前記LADN DNNを第15の識別情報に含めてもよい。言い換えると、ネットワークは、第2の識別情報に含まれ、さらに、ネットワークに設定されたLADN DNNのいずれにも合致しないLADN DNNが、一又は複数存在する場合、前記LADN DNNを第15の識別情報に含めてもよい。
【０１６１】
さらに、第15の識別情報は、ネットワークによって、受信した第2の識別情報、及び/又はDNに対応づけられた情報、及び/又はNSIに対応づけられた情報、及び/又はネットワークの能力情報、及び/又はオペレータポリシー、及び/又はネットワークの状態、及び/又はユーザの登録情報等に基づいて、選択、決定される情報であってもよい。さらに、第15の識別情報は、本手続きにおいて、ネットワークが選択した他の識別情報に基づいて、選択、決定される情報であってもよい。
【０１６２】
第26の識別情報は、DNNを示す情報である。第26の識別情報は、UEが要求するDNNを示す情報であってもよい。より詳細には、第26の識別情報は、UEが要求する、本手続きにおいて確立されるPDUセッションに対応づけられるDNNを示す情報であってもよい。さらに、第26の識別情報は、送受信された第11から第17の識別情報の内、一つ以上の識別情報、及び/又はUEの設定、及び/又はUEの状態、及び/又はユーザポリシー、及び/又はアプリケーションの要求に基づいて、選択、決定される情報であってもよい。
【０１６３】
また、第36の識別情報は、DNNを示す情報である。第36の識別情報は、ネットワークによって選択されたDNNを示す情報であってもよい。より詳細には、第36の識別情報は、ネットワークが選択した、本手続きにおいて確立されるPDUセッションに対応づけられるDNNを示す情報であってもよい。
【０１６４】
さらに、第36の識別情報は、ネットワークによって、受信した第36の識別情報、及び/又はNSIに対応づけられた情報、及び/又はネットワークの能力情報、及び/又はオペレータポリシー、及び/又はネットワークの状態、及び/又はユーザの登録情報等に基づいて、選択、決定される情報であってもよい。さらに、第36の識別情報は、本手続きにおいて、ネットワークが選択した他の識別情報に基づいて、選択、決定される情報であってもよい。
【０１６５】
さらに、第41の識別情報は、UEの要求が許可されない理由を示す理由値である。第41の識別情報は、5GSM(5GS Session Management)理由値であってよい。さらに、第41の識別情報は、UEがLADNサービスエリア外に位置していることを示す情報であってよい。さらに、第41の識別情報は、UEがLADNサービスエリア外に位置していることを示す為に、ネットワークによって使用される情報であってもよい。
【０１６６】
さらに、第41の識別情報は、第41の識別情報は、UEが現在属しているエリアにおいて、要求されたLADNが許可されていないことを示す情報であってもよい。尚、UEが現在属しているエリアとは、一又複数のトラッキングエリアによって構成されるエリアであってもよいし、LADN DNNに対応づけられたLADNサービスエリアであってもよい。
【０１６７】
さらに、第41の識別情報は、UEから受信した識別情報、及び/又はネットワークの能力情報、及び/又はオペレータポリシー、及び/又はネットワークの状態、及び/又はユーザの登録情報、及び/又はUEが現在属しているエリア等に基づいて、ネットワークによって、選択、決定される情報であってもよい。
【０１６８】
さらに、第41の識別情報は、LADNサービス外を示す、46番目の5GSM理由値であってもよい。言い換えると、第41の識別情報は、5GSM cause #46 "out of LADN service area"であってもよい。尚、5GSM cause #46 "out of LADN service area"は、UEがLADNサービス外にいることを示す理由値であってよい。
【０１６９】
さらに、第41の識別情報は、5GMM(5GS Mobility Management)理由値であってもよい。さらに、第41の識別情報は、AMFが、UEから受信した、PDUセッション確立要求メッセージ等のSMメッセージを、SMFに転送出来ない場合に使用される情報であってもよい。
【０１７０】
[3.2. 各実施形態で用いられる手続きの説明]
次に、各実施形態で用いられる手続きについて説明する。尚、各実施形態で用いられる手続きには、登録手続き(Registration procedure)、PDUセッション確立手続き(PDU session establishment procedure)、UE設定更新手続き(Generic UE configuration update procedure)が含まれる。以下、各手続きについて説明していく。
【０１７１】
尚、各実施形態では、図2に記載されているように、HSSとUDM、PCFとPCRF、SMFとPGW-C、UPFとPGW-Uが、それぞれ同一の装置(つまり、同一の物理的なハードウェア、又は同一の論理的なハードウェア、又は同一のソフトウェア)として構成されている場合を例にとって説明する。しかし、本実施形態に記載される内容は、これらが異なる装置(つまり、異なる物理的なハードウェア、又は異なる論理的なハードウェア、又は異なるソフトウェア)として構成される場合にも適用可能である。例えば、これらの間で、直接データの送受信を行ってもよいし、AMF、MME間のN26インターフェースを介してデータを送受信してもよいし、UEを介してデータを送受信してもよい。
【０１７２】
[3.2.1.登録手続き]
まず、登録手続き (Registration procedure) について、図6を用いて説明する。登録手続きは、5GSにおける手続きである。以下、本手続きとは登録手続きを指す。登録手続きは、UEが主導してアクセスネットワーク_B、及び/又はコアネットワーク_B、及び/又はDNへ登録する為の手続きである。UEは、ネットワークに登録していない状態であれば、例えば、電源投入時等の任意のタイミングで本手続きを実行することができる。言い換えると、UEは、非登録状態(RM-DEREGISTERED state)であれば任意のタイミングで本手続きを開始できる。また、各装置(特にUEとAMF)は、登録手続きの完了に基づいて、登録状態(RM-REGISTERED state)に遷移することができる。
【０１７３】
さらに、登録手続きは、ネットワークにおけるUEの位置登録情報を更新する、及び/又は、UEからネットワークへ定期的にUEの状態を通知する、及び/又は、ネットワークにおけるUEに関する特定のパラメータを更新する為の手続きであってもよい。
【０１７４】
UEは、TAを跨ぐモビリティをした際に、登録手続きを開始してもよい。言い換えると、UEは、保持しているTAリストで示されるTAとは異なるTAに移動した際に、登録手続きを開始してもよい。さらに、UEは、実行しているタイマーが満了した際に本手続きを開始してもよい。さらに、UEは、PDUセッションの切断や無効化が原因で各装置のコンテキストの更新が必要な際に登録手続きを開始してもよい。さらに、UEは、UEのPDUセッション確立に関する、能力情報、及び/又はプリファレンスに変化が生じた場合、登録手続きを開始してもよい。さらに、UEは、定期的に登録手続きを開始してもよい。さらに、UEは、UE設定更新手続きの完了に基づいて、登録手続きを開始してもよい。尚、UEは、これらに限らず、任意のタイミングで登録手続きを実行することができる。
【０１７５】
さらに、UEは、登録状態であっても、定期的に登録手続きを開始してもよい。言い換えると、UEは、タイマーの満了に基づいて、登録手続きを開始してもよい。さらに、UEは、LADN情報を記憶している状態で、登録手続きを開始してもよい。さらに、UEは、PDUセッションを確立している状態で、登録手続きを開始してもよい。尚、前記PDUセッションは、LADN情報に対応づけられたPDUセッションであってもよいし、LADNのためのPDUセッションであってもよい。さらに、前記PDUセッションは、NSSAIに対応づけられたPDUセッションであってもよい。
【０１７６】
尚、UEのモビリティに基づいて実行される登録手続きと、定期的に実行される登録手続きとを、モビリティと登録更新のための登録手続きと表現してもよい。言い換えると、モビリティと登録更新のための登録手続きは、UEのモビリティに基づいて実行される登録手続きであってもよく、定期的に実行される登録手続きであってもよい。さらに、モビリティと登録更新のための登録手続きは、UEの設定更新に基づいて実行される登録手続きであってもよい。さらに、モビリティと登録更新のための登録手続きは、ユーザデータを送受信するための通信路を確立するために実行する登録手続きであってもよい。さらに、モビリティと登録更新のための登録手続きは、ネットワークからの要求に基づいて実行される登録手続きであってもよい。さらに、言い換えると、モビリティと登録更新のための登録手続きは、初期の登録手続き以外の登録手続きであってよい。以下、モビリティと登録更新のための登録手続きを、本手続きと表現してもよい。
【０１７７】
次に、登録手続きの各ステップを説明していく。尚、以下で説明する登録手続きは、初期の登録手続きであってもよいし、モビリティと登録更新のための登録手続きであってもよい。
【０１７８】
まず、UEは、AMFに登録要求(Registration request)メッセージを送信することにより(S800)(S802)(S804)、登録手続きを開始する。具体的には、UEは、登録要求メッセージを含むRRCメッセージを、5G AN(又はgNB)に送信する(S800)。尚、登録要求メッセージは、NASメッセージである。また、RRCメッセージは、UEと5G AN(又はgNB)との間で送受信される制御メッセージであってよい。また、NASメッセージはNASレイヤで処理され、RRCメッセージはRRCレイヤで処理される。尚、NASレイヤはRRCレイヤよりも上位のレイヤである。
【０１７９】
ここで、UEは、少なくとも第1から2の識別情報の内、1つ以上の識別情報を、登録要求メッセージ及び/又はRRCメッセージに含めて送信することができるが、これらとは異なる制御メッセージ、例えば、RRCレイヤよりも下位のレイヤ(例えば、MACレイヤ、RLCレイヤ、PDCPレイヤ)の制御メッセージに含めて送信してもよい。尚、UEは、これらの識別情報を、送信することで、UEが各機能をサポートしていることを示してもよいし、UEの要求を示してもよい。さらに、複数の識別情報が送受信される場合、これらの識別情報の2以上の識別情報は、1以上の識別情報として構成されてもよい。尚、各機能のサポートを示す情報と、各機能の使用の要求を示す情報は、同じ識別情報と送受信されてもよいし、異なる識別情報として送受信されてもよい。
【０１８０】
UEは、LADNサービスエリアの拡張をサポートしている場合、LADNサービスエリアの拡張のサポートを示す情報を第1の識別情報に設定してもよいし、LADNサービスエリアの拡張のサポートを示す第1の識別情報を、登録要求メッセージに含めて送信してもよい。逆にUEは、LADNサービスエリアの拡張をサポートしていない場合、LADNサービスエリアの拡張をサポートしていないことを示す情報を第1の識別情報に設定してもよいし、LADNサービスエリアの拡張をサポートしていないことを示す第1の識別情報を、登録要求メッセージに含めて送信してもよいし、第1の識別情報を送信しなくてもよい。
【０１８１】
また、UEは、LADNサービスエリアの拡張の利用制限をサポートしている場合、LADNサービスエリアの拡張の利用制限のサポートを示す情報を第1の識別情報に設定してもよいし、LADNサービスエリアの拡張の利用制限のサポートを示す第1の識別情報を、登録要求メッセージに含めて送信してもよい。逆にUEは、LADNサービスエリアの拡張の利用制限をサポートしていない場合、LADNサービスエリアの拡張の利用制限をサポートしていないことを示す情報を第1の識別情報に設定してもよいし、LADNサービスエリアの拡張の利用制限をサポートしていないことを示す第1の識別情報を、登録要求メッセージに含めて送信してもよいし、第1の識別情報を送信しなくてもよい。
【０１８２】
さらに、UEは、第1の識別情報を送信することで、UEがLADNサービスエリアの拡張をサポートしていることを示してもよい。この場合、第1の識別情報は、LADNサービスエリアの拡張のサポートを示す情報であってよい。
【０１８３】
逆に、UEは、第1の識別情報を送信することで、UEがLADNサービスエリアの拡張の利用制限をサポートすることを示してもよい。この場合、第1の識別情報は、LADNサービスエリアの拡張の利用制限のサポートを示す情報であってよい。
【０１８４】
また、UEは、登録要求メッセージにSMメッセージ(例えば、PDUセッション確立要求メッセージ)を含めて送信することで、又は登録要求メッセージとともにSMメッセージ(例えば、PDUセッション確立要求メッセージ)を送信することで、登録手続き中にPDUセッション確立手続きを開始してもよい。
【０１８５】
5G AN(又はgNB)は、登録要求メッセージを含むRRCメッセージを受信すると、登録要求メッセージを転送するAMFを選択する(S802)。尚、5G AN(又はgNB)は、登録要求メッセージ及び/又はRRCメッセージに含まれる情報に基づいて、AMFを選択することができる。5G AN(又はgNB)は、受信したRRCメッセージから登録要求メッセージを取り出し、選択したAMFに、登録要求メッセージを転送する(S804)。
【０１８６】
AMFは、登録要求メッセージを受信した場合、第1の条件判別を実行することができる。第1の条件判別とは、ネットワーク(又はAMF)がUEの要求を受諾するか否かを判別するためのものである。AMFは、第1の条件判別が真の場合、図6の(A)の手続きを開始するのに対し、第1の条件判別が偽の場合、図6の(B)の手続きを開始する。
【０１８７】
尚、第1の条件判別は、登録要求メッセージの受信、及び/又は登録要求メッセージに含まれる各識別情報、及び/又は加入者情報、及び/又はネットワークの能力情報、及び/又はオペレータポリシー、及び/又はネットワークの状態、及び/又はユーザの登録情報、及び/又はAMFが保持するコンテキスト等に基づいて、実行されてもよい。例えば、UEの要求をネットワークが許可する場合、第1の条件判別は真であり、UEの要求をネットワークが許可しない場合、第1の条件判別は偽でよい。また、UEの登録先のネットワーク、及び/又はネットワーク内の装置が、UEの要求する機能をサポートしている場合、第1の条件判別は真であり、UEの要求する機能をサポートしていない場合、第1の条件判別は偽でよい。さらに、送受信される識別情報が許可される場合、第1の条件判別は真であり、送受信される識別情報が許可されない場合、第1の条件判別は偽でよい。尚、第1の条件判別の真偽が決まる条件は前述した条件に限らなくてもよい。
【０１８８】
まず、第1の条件判別が真の場合について説明する。AMFは、図6の(A)の手続きにおいて、まず第4の条件判別を実行することができる。第4の条件判別は、AMFがSMFとの間でSMメッセージの送受信を実施するか否かを判別するためのものである。
【０１８９】
尚、第4の条件判別は、AMFがSMメッセージを受信したか否かに基づいて実行されてよい。また、第4の条件判別は、登録要求メッセージにSMメッセージが含まれているかに基づいて、実行されてもよい。例えば、AMFがSMメッセージを受信した場合、及び/又は登録要求メッセージにSMメッセージが含まれていた場合、第4の条件判別は真であってよく、AMFがSMメッセージを受信しなかった場合、及び/又は登録要求メッセージにSMメッセージが含まれていなかった場合、第4の条件判別は偽であってよい。尚、第4の条件判別の真偽が決まる条件は前述した条件に限らなくてもよい。
【０１９０】
AMFは、第4の条件判別が真の場合には、SMFを選択し、選択されたSMFとの間でSMメッセージの送受信を実行するのに対し、第4の条件判別が偽の場合には、それらを実行しない(S806)。また、AMFは、第4の条件判別が真の場合であっても、SMFから拒絶を示すSMメッセージを受信した場合には、図6の(A)の手続きを中止する場合がある。このとき、AMFは、図6の(B)の手続きを開始することができる。
【０１９１】
尚、AMFは、S806において、SMFとの間でSMメッセージの送受信を行う際に、登録要求メッセージで受信した識別情報をSMFに通知することができる。SMFは、AMFとの間で、SMメッセージの送受信によって、AMFから受信した識別情報を取得することができる。
【０１９２】
次に、AMFは、登録要求メッセージの受信、及び/又はSMFとの間のSMメッセージの送受信の完了に基づいて、登録要求メッセージに対する応答メッセージとして、5G AN(又はgNB)を介して、UEに登録受諾(Registration accept)メッセージを送信する(S808)。例えば、第4の条件判別が偽の場合、AMFは、UEからの登録要求メッセージの受信に基づいて、登録受諾メッセージを送信してもよい。また、第4の条件判別が真の場合、AMFは、SMFとの間のSMメッセージの送受信の完了に基づいて、登録受諾メッセージを送信してもよい。尚、登録受諾メッセージは、N1インターフェース上で送受信されるNASメッセージであるが、UEと5G AN(gNB)間はRRCメッセージに含まれて送受信される。
【０１９３】
AMFは、登録受諾メッセージに少なくとも第11から15の識別情報の内、1つ以上の識別情報を含めて送信してもよい。尚、AMFは、これらの識別情報を送信することで、ネットワークが各機能をサポートしていることを示してもよいし、UEの要求が受諾されたことを示してもよい。さらに、複数の識別情報が送受信される場合、これらの識別情報の2以上の識別情報は、1以上の識別情報として構成されてもよい。尚、各機能のサポートを示す情報と、各機能の使用の要求を示す情報は、同じ識別情報と送受信されてもよいし、異なる識別情報として送受信されてもよい。
【０１９４】
AMFは、LADNサービスエリアの拡張をサポートしている場合、LADNサービスエリアの拡張のサポートを示す情報を第11の識別情報に設定してもよいし、LADNサービスエリアの拡張のサポートを示す第11の識別情報を、登録受諾メッセージに含めて送信してもよい。逆にAMFは、LADNサービスエリアの拡張をサポートしていない場合、LADNサービスエリアの拡張をサポートしていないことを示す情報を第11の識別情報に設定してもよいし、LADNサービスエリアの拡張をサポートしていないことを示す第11の識別情報を、登録受諾メッセージに含めて送信してもよいし、第11の識別情報を送信しなくてもよい。
【０１９５】
また、AMFは、LADNサービスエリアの拡張の利用制限をサポートしている場合、LADNサービスエリアの拡張の利用制限のサポートを示す情報を第11の識別情報に設定してもよいし、LADNサービスエリアの拡張の利用制限のサポートを示す第11の識別情報を、登録受諾メッセージに含めて送信してもよい。逆にAMFは、LADNサービスエリアの拡張の利用制限をサポートしていない場合、LADNサービスエリアの拡張の利用制限をサポートしていないことを示す情報を第11の識別情報に設定してもよいし、LADNサービスエリアの拡張の利用制限をサポートしていないことを示す第11の識別情報を、登録受諾メッセージに含めて送信してもよいし、第11の識別情報を送信しなくてもよい。
【０１９６】
さらに、AMFは、第11の識別情報を送信することで、ネットワークがLADNサービスエリアの拡張をサポートしていることを示してもよい。さらに、AMFは、第11の識別情報を送信することで、LADNサービスエリアの拡張が使用可能であることを示してもよい。さらに、AMFは、第11の識別情報を送信することで、ネットワークがLADNサービスエリアの拡張の使用を許可したことを示してもよい。この場合、第11の識別情報は、LADNサービスエリアの拡張のサポートを示す情報であってよい。
【０１９７】
逆に、AMFは、LADNサービスエリアの拡張をサポートしないことを示す第11の識別情報を送信する、又は第11の識別情報を送信しないことで、ネットワークがLADNサービスエリアの拡張をサポートしていないことを示してもよい。さらに、AMFは、LADNサービスエリアの拡張をサポートしないことを示す第11の識別情報を送信する、又は第11の識別情報を送信しないことで、LADNサービスエリアの拡張が使用可能ではないことを示してもよい。さらに、AMFは、LADNサービスエリアの拡張をサポートしないことを示す第11の識別情報を送信する、又は第11の識別情報を送信しないことで、ネットワークがLADNサービスエリアの拡張の使用を許可していないことを示してもよい。
【０１９８】
さらに、AMFは、第11の識別情報を送信することで、ネットワークがLADNサービスエリアの拡張の利用制限をサポートすることを示してもよい。さらに、AMFは、第11の識別情報を送信することで、LADNサービスエリアの拡張の使用が制限されていることを示してもよい。この場合、第11の識別情報は、LADNサービスエリアの拡張の利用制限のサポートを示す情報であってよい。
【０１９９】
逆に、AMFは、LADNサービスエリアの拡張の利用制限をサポートしないことを示す第11の識別情報を送信すること、又は第11の識別情報を送信しないことで、ネットワークがLADNサービスエリアの拡張の利用制限をサポートしないことを示してもよい。さらに、AMFは、LADNサービスエリアの拡張の利用制限をサポートしないことを示す第11の識別情報を送信すること、又は第11の識別情報を送信しないことで、LADNサービスエリアの拡張の使用が制限されていないことを示してもよい。
【０２００】
ここで、AMFは、第1の識別情報に基づいて、第11の識別情報を送信してもよい。具体的には、AMFは、第1の識別情報がLADNサービスエリアの拡張のサポートを示す情報である場合、LADNサービスエリアの拡張のサポートを示す第11の識別情報をUEに送信してもよい。逆に、AMFは、第1の識別情報がLADNサービスエリアの拡張をサポートしないことを示す情報である場合、LADNサービスエリアの拡張をサポートしないことを示す第11の識別情報をUEに送信してもよい。
【０２０１】
さらに、AMFは、第1の識別情報がLADNサービスエリアの拡張の利用制限のサポートを示す情報であり、さらに、AMFがLADNサービスエリアの拡張の利用を制限することを決定した場合、LADNサービスエリアの拡張の利用制限を示す情報を第11の識別情報に設定してもよいし、LADNサービスエリアの拡張の利用制限を示す第11の識別情報をUEに送信してもよい。逆に、AMFは、第1の識別情報がLADNサービスエリアの拡張をサポートしないことを示す情報である場合、第11の識別情報を送信しなくてもよい。
【０２０２】
さらに、AMFは、第12の識別情報を送信することで、ネットワークが、LADNをサポートしていることを示してもよいし、LADNへの接続を許可していることを示してもよい。さらに、AMFは、第12の識別情報を送信することで、LADNへの接続において利用可能なDNNの一覧、及び/又はLADNへの接続が可能なエリアであるLADNサービスエリアを、UEに通知してもよい。さらに、AMFは、第12の識別情報を送信することで、LADNへの接続において利用可能な一又は複数のS-NSSAIを、UEに通知してもよい。尚、LADNへの接続において利用可能なS-NSSAIと、LADNへの接続において利用可能なDNN、及び/又はLADNサービスエリアとは、関連づけられていてもよい。
【０２０３】
ここで、AMFは、第1の識別情報に基づいて、第12の識別情報を送信してもよい。具体的には、AMFは、第1の識別情報がLADNサービスエリアの拡張のサポートを示す情報である場合、拡張されたLADNサービスエリアをLADNサービスエリアとして設定してもよいし、拡張されたLADN情報をLADN情報として設定してもよいし、設定したLADN情報を第12の識別情報としてUEに送信してもよい。逆に、AMFは、第1の識別情報がLADNサービスエリアの拡張をサポートしないことを示す情報である場合、従来のLADNサービスエリアをLADNサービスエリアとして設定してもよいし、従来のLADN情報をLADN情報として設定してもよいし、設定したLADN情報を第12の識別情報としてUEに送信してもよい。
【０２０４】
逆に、AMFは、第12の識別情報を送信しないことで、ネットワークが、LADNをサポートしていないことを示してもよいし、LADNへの接続を許可していないことを示してもよい。さらに、AMFは、第12の識別情報を送信しないことで、UEが記憶しているLADN情報が無効であることを示してもよいし、UEが記憶しているLADN情報の無効化を、UEに指示してもよい。さらに、AMFは、第12の識別情報を送信しないことで、UEが記憶しているLADN情報の削除が必要であることを示してもよいし、UEが記憶しているLADN情報の削除を、UEに指示してもよい。
【０２０５】
さらに、AMFは、中身が空の第12の識別情報を送信することで、ネットワークが、LADNをサポートしていないことを示してもよいし、LADNへの接続を許可していないことを示してもよい。さらに、AMFは、中身が空の第12の識別情報を送信することで、UEが記憶しているLADN情報が無効であることを示してもよいし、UEが記憶しているLADN情報の無効化を、UEに指示してもよい。さらに、AMFは、中身が空の第12の識別情報を送信することで、UEが記憶しているLADN情報の削除が必要であることを示してもよいし、UEが記憶しているLADN情報の削除を、UEに指示してもよい。
【０２０６】
ここで、AMFは、第2の識別情報に基づいて、第12の識別情報を送信してもよい。具体的には、AMFは、第2の識別情報がLADN情報の要求を示す場合、第12の識別情報を登録受諾メッセージに含めてもよいし、第12の識別情報をUEに送信してもよい。さらに、AMFは、第2の識別情報がLADN情報の更新の要求を示す場合にも、第12の識別情報を登録受諾メッセージに含めてもよいし、第12の識別情報をUEに送信してもよい。逆に、AMFは、第2の識別情報がLADN情報の削除の要求を示す場合、第12の識別情報を登録受諾メッセージに含めなくてもよいし、第12の識別情報をUEに送信しなくてもよい。さらに、AMFは、第2の識別情報がLADN情報の削除の要求を示す場合、中身が空の第12の識別情報を登録受諾メッセージに含めてもよいし、中身が空の第12の識別情報をUEに送信してもよい。
【０２０７】
さらに、AMFは、UEが記憶しているLADN情報を無効化したい場合、第12の識別情報を登録受諾メッセージに含めなくてもよいし、第12の識別情報をUEに送信しなくてもよい。さらに、AMFは、UEが記憶しているLADN情報を無効化したい場合、中身が空の第12の識別情報を登録受諾メッセージに含めてもよいし、中身が空の第12の識別情報をUEに送信してもよい。さらに、AMFは、UEが記憶しているLADN情報を削除したい場合、第12の識別情報を登録受諾メッセージに含めなくてもよいし、第12の識別情報をUEに送信しなくてもよい。さらに、AMFは、UEが記憶しているLADN情報を削除したい場合、中身が空の第12の識別情報を登録受諾メッセージに含めてもよいし、中身が空の第12の識別情報をUEに送信してもよい。
【０２０８】
さらに、AMFが、モビリティと登録更新のための登録手続きの間に、登録受諾メッセージに第12の識別情報を含めない場合、AMFは、古いLADN情報を無効であると認識してもよいし、古いLADN情報を削除してもよい。この場合、LADNのためのPDUセッションが確立されている場合に、AMFは、ローカルで、LADNのためのPDUセッションを解放してもよいし、ローカルでのLADNのためのPDUセッションの解放を、SMFに要求してもよい。
【０２０９】
より詳細には、AMFが、モビリティと登録更新のための登録手続きの間に、登録受諾メッセージに第12の識別情報を含めない場合、AMFは、古いLADN情報を無効であると認識してもよいし、古いLADN情報を削除してもよい。この場合、一又複数のLADNのためのPDUセッションが確立されている場合に、AMFは、ローカルで、全てのLADNのためのPDUセッションを解放してもよいし、ローカルでの、全てのLADNのためのPDUセッションの解放を、SMFに要求してもよい。
【０２１０】
さらに、AMFが、モビリティと登録更新のための登録手続きの間に、登録受諾メッセージに第12の識別情報を含めない場合、AMFは、古いLADN情報を無効であると認識してもよいし、古いLADN情報を削除してもよい。この場合、LADNのためのPDUセッションが確立されている場合に、AMFは、LADNのためのPDUセッションの解放を、SMFに要求してもよい。この場合、SMFは、ネットワーク要求のPDUセッション解放手続きを開始してもよい。
【０２１１】
より詳細には、AMFが、モビリティと登録更新のための登録手続きの間に、登録受諾メッセージに第12の識別情報を含めない場合、AMFは、古いLADN情報を無効であると認識してもよいし、古いLADN情報を削除してもよい。この場合、一又複数のLADNのためのPDUセッションが確立されている場合に、AMFは、全てのLADNのためのPDUセッションの解放を、SMFに要求してもよい。この場合、SMFは、ネットワーク要求のPDUセッション解放手続きを開始してもよい。
【０２１２】
さらに、LADNのためのPDUセッションに対応づけられたLADN情報が、登録受諾メッセージに含まれていない場合、AMFは、古いLADN情報を無効であると認識してもよいし、古いLADN情報を削除してもよい。この場合、AMFは、ローカルで、LADNのためのPDUセッションを解放してもよいし、ローカルでのLADNのためのPDUセッションの解放を、SMFに要求してもよい。
【０２１３】
さらに、LADNのためのPDUセッションに対応づけられたLADN情報が、登録受諾メッセージに含まれていない場合、AMFは、古いLADN情報を無効であると認識してもよいし、古いLADN情報を削除してもよい。この場合、AMFは、LADNのためのPDUセッションの解放を、SMFに要求してもよい。
【０２１４】
さらに、LADNのためのPDUセッションに対応づけられたLADN情報が、登録受諾メッセージに含まれていない場合、AMFは、古いLADN情報を無効であると認識してもよいし、古いLADN情報を削除してもよい。この場合、AMFは、LADNのためのPDUセッションの解放を、SMFに要求してもよい。この場合、SMFは、ネットワーク要求のPDUセッション解放手続きを開始してもよい。
【０２１５】
さらに、LADNのためのPDUセッションに対応づけられたLADN情報が、登録受諾メッセージに含まれていない場合、AMFは、古いLADN情報を無効であると認識してもよいし、古いLADN情報を削除してもよい。この場合、AMFは、LADNのためのPDUセッションの解放を、SMFに要求してもよい。この場合、SMFは、ネットワーク要求のPDUセッション解放手続きを開始してもよい。
【０２１６】
さらに、AMFは、第13の識別情報を送信することで、LADNサービスエリアの粒度を示してもよい。より詳細には、AMFは、第12の識別情報と共に、第13の識別情報を送信することで、第12の識別情報で示されるLADN情報に含まれるLADNサービスエリア情報が示すLADNサービスエリアの粒度を示してもよいし、LADNサービスエリアとして使用が可能であるエリアを通知してもよい。具体的には、AMFは、第12の識別情報と共に、第13の識別情報を送信することで、第12の識別情報に含まれるLADNサービスエリア情報が示すLADNサービスエリアが、一又複数のトラッキングエリアによって構成されるエリアであることを示してもよいし、一又複数のトラッキングエリアによって構成されるエリアとは異なるエリアであることを示してもよい。さらに、AMFは、第12の識別情報と共に、第13の識別情報を送信することで、LADNサービスエリア情報として、トラッキングエリアIDリストが含まれていることを示してもよいし、RANのアシストが必要な情報が含まれていることを示してもよいし、RANのアシストが必要ではない情報が含まれてことを示してもよい。
【０２１７】
ここで、AMFは、第1の識別情報に基づいて、第13の識別情報を送信するか否かを決定してもよい。具体的には、AMFは、第1の識別情報がLADNサービスエリアの拡張のサポートを示す情報である場合、第13の識別情報をUEに送信してもよい。逆に、AMFは、第1の識別情報がLADNサービスエリアの拡張をサポートしないことを示す情報である場合、第13の識別情報をUEに送信しなくてもよい。
【０２１８】
さらに、AMFは、第14の識別情報を送信することで、LADNサービスエリアが有効である期間を示してもよい。より詳細には、AMFは、第12の識別情報と共に、第14の識別情報を送信することで、第12の識別情報で示されるLADN情報に含まれるLADNサービスエリア情報が示すLADNサービスエリアが有効である期間を示してもよい。
【０２１９】
ここで、AMFは、第1の識別情報に基づいて、第14の識別情報を送信するか否かを決定してもよい。具体的には、AMFは、第1の識別情報がLADNサービスエリアの拡張のサポートを示す情報である場合、第14の識別情報をUEに送信してもよい。逆に、AMFは、第1の識別情報がLADNサービスエリアの拡張をサポートしないことを示す情報である場合、第14の識別情報をUEに送信しなくてもよい。
【０２２０】
さらに、AMFは、第12の識別情報と共に、第11の識別情報、及び/又は第13の識別情報、及び/又は第14の識別情報を送信することで、拡張されたLADN情報、及び/又は拡張されたLADNサービスエリアの使用が可能であることを示してもよいし、使用可能である、LADN情報、及び/又はLADNサービスエリア情報を通知してもよい。この場合、第11の識別情報は、LADNサービスエリアの拡張のサポートを示す情報であってよく、第12の識別情報は、拡張されたLADN情報であってよい。
【０２２１】
逆に、AMFは、第11の識別情報、及び/又は第12の識別情報を送信し、第13の識別情報、及び/又は第14の識別情報を送信しないことで、拡張されたLADN情報、及び/又は拡張されたLADNサービスエリアの使用が可能ではないことを示してもよい。言い換えると、AMFは、第11の識別情報、及び/又は第12の識別情報を送信し、第13の識別情報、及び/又は第14の識別情報を送信しないことで、従来のLADN情報、及び/又は従来のLADNサービスエリアの使用が可能であることを示してもよいし、使用可能である、LADN情報、及び/又はLADNサービスエリア情報を通知してもよい。この場合、第11の識別情報は、LADNサービスエリアの拡張がサポートされないことを示す情報であってよく、第12の識別情報は、従来のLADN情報であってよい。
【０２２２】
さらに、AMFは、第12の識別情報を送信し、第11の識別情報、及び/又は第13の識別情報、及び/又は第14の識別情報を送信しないことで、拡張されたLADN情報、及び/又は拡張されたLADNサービスエリアの使用が可能ではないことを示してもよい。言い換えると、AMFは、第12の識別情報を送信し、第11の識別情報、及び/又は第13の識別情報、及び/又は第14の識別情報を送信しないことで、従来のLADN情報、及び/又は従来のLADNサービスエリアの使用が可能であることを示してもよいし、使用可能である、LADN情報、及び/又はLADNサービスエリア情報を通知してもよい。この場合、第12の識別情報は、従来のLADN情報であってよい。
【０２２３】
さらに、AMFは、第2の識別情報の受信、及び/又はAMFが保持するDNNリストに基づいて、第12の識別情報を登録手続きメッセージに含めるか否かを決定してもよいし、第12の識別情報にどのLADN DNNを含めるかを決定してもよい。さらに、AMFは、選択、及び/又は決定したLADN DNNを第12の識別情報に含めてよい。逆に、AMFは、選択、及び/又はしなかったLADN DNNを第12の識別情報に含めなくてもよい。ここで、AMFが保持するDNNリストは、UEの加入者情報に対応づけられたDNNのリストであってよい。
【０２２４】
具体的には、AMFは、第2の識別情報に含まれるLADN DNNの内、一又複数のLADN DNNが、AMFが保持するDNNリストに含まれるDNNのいずれにも合致しない場合、前記LADN DNNを第12の識別情報に含めなくてもよい。言い換えると、AMFは、第2の識別情報に含まれ、さらに、AMFが保持するDNNリストに含まれるDNNのいずれにも合致しないLADN DNNが、一又は複数存在する場合、前記LADN DNNを第12の識別情報に含めなくてもよい。
【０２２５】
逆に、AMFは、第2の識別情報に含まれるLADN DNNの内、一又複数のLADN DNNが、AMFが保持するDNNリストに含まれるDNNのいずれにも合致しない場合であっても、一又複数のLADN DNNをLADN DNNを第12の識別情報に含めてもよい。言い換えると、AMFは、第2の識別情報に含まれ、さらに、AMFが保持するDNNリストに含まれるDNNのいずれにも合致しないLADN DNNが、一又は複数存在する場合であっても、一又複数のLADN DNNをLADN DNNを第12の識別情報に含めてもよい。ここで、第12の識別情報に含められるLADN DNNは、AMFが保持するDNNリストに含まれるLADN DNNであってもよいし、デフォルトのLADN DNNであってもよい。尚、第12の識別情報に含められるLADN DNNは、これらに限らず任意のものであってもよい。
【０２２６】
さらに、AMFは、第2の識別情報の受信、及び/又はAMFに設定されたLADN DNNに基づいて、第12の識別情報を登録手続きメッセージに含めるか否かを決定してもよいし、第12の識別情報にどのLADN DNNを含めるかを決定してもよい。さらに、AMFは、選択、及び/又は決定したLADN DNNを第12の識別情報に含めてよい。逆に、AMFは、選択、及び/又はしなかったLADN DNNを第12の識別情報に含めなくてもよい。
【０２２７】
具体的には、AMFは、第2の識別情報に含まれるLADN DNNの内、一又複数のLADN DNNが、AMFに設定されたLADN DNNのいずれにも合致しない場合、前記LADN DNNを第12の識別情報に含めなくてもよい。言い換えると、AMFは、第2の識別情報に含まれ、さらに、AMFに設定されたLADN DNNのいずれにも合致しないLADN DNNが、一又は複数存在する場合、前記LADN DNNを第12の識別情報に含めなくてもよい。
【０２２８】
逆に、AMFは、第2の識別情報に含まれるLADN DNNの内、一又複数のLADN DNNが、AMFに設定されたLADN DNNのいずれにも合致しない場合であっても、一又複数のLADN DNNをLADN DNNを第12の識別情報に含めてもよい。言い換えると、AMFは、第2の識別情報に含まれ、さらに、AMFに設定されたLADN DNNのいずれにも合致しないLADN DNNが、一又は複数存在する場合であっても、一又複数のLADN DNNをLADN DNNを第12の識別情報に含めてもよい。ここで、第12の識別情報に含められるLADN DNNは、AMFに設定されたLADN DNNであってもよいし、デフォルトのLADN DNNであってもよい。尚、第12の識別情報に含められるLADN DNNは、これらに限らず任意のものであってもよい。
【０２２９】
さらに、AMFは、一又複数のLADN DNNが含まれない第12の識別情報を送信することで、第12の識別情報に含まれないLADN DNNのためのLADN情報の要求が失敗したことを示してもよい。さらに、AMFは、一又複数のLADN DNNが含まれない第12の識別情報を送信することで、第12の識別情報に含まれないLADN DNNのための新しいLADN情報を要求するための登録手続きの再実行が禁止されていることを示してもよい。ここで、第12の識別情報に含まれないLADN DNNは、第2の識別情報に含まれていたLADN DNNの内の一又複数のLADN DNNであってよい。
【０２３０】
言い換えると、第2の識別情報に含まれていて、さらに、第12の識別情報に含まれていない一又複数のLADN DNNが存在する場合、AMFは、前記LADN DNNのためのLADN情報の要求が失敗したことを示してもよい。さらに、言い換えると、第2の識別情報に含まれていて、さらに、第12の識別情報に含まれていない一又複数のLADN DNNが存在する場合、AMFは、前記LADN DNNのための新しいLADN情報を要求するための登録手続きの再実行が禁止されていることを示してもよい。
【０２３１】
さらに、AMFは、第2の識別情報の受信、及び/又はAMFが保持するDNNリストに基づいて、第15の識別情報を登録手続きメッセージに含めるか否かを決定してもよいし、第15の識別情報にどのLADN DNNを含めるかを決定してもよい。ここで、AMFが保持するDNNリストは、UEの加入者情報に対応づけられたDNNのリストであってよい。
【０２３２】
具体的には、AMFは、第2の識別情報に含まれるLADN DNNの内、一又複数のLADN DNNが、AMFが保持するDNNリストに含まれるDNNのいずれにも合致しない場合、前記LADN DNNを第15の識別情報に含めてもよい。言い換えると、AMFは、第2の識別情報に含まれ、さらに、AMFが保持するDNNリストに含まれるDNNのいずれにも合致しないLADN DNNが、一又は複数存在する場合、前記LADN DNNを第15の識別情報に含めてもよい。
【０２３３】
さらに、AMFは、第2の識別情報の受信、及び/又はAMFに設定されたLADN DNNに基づいて、第15の識別情報を登録手続きメッセージに含めるか否かを決定してもよいし、第15の識別情報にどのLADN DNNを含めるかを決定してもよい。
【０２３４】
具体的には、AMFは、第2の識別情報に含まれるLADN DNNの内、一又複数のLADN DNNが、AMFに設定されたLADN DNNのいずれにも合致しない場合、前記LADN DNNを第15の識別情報に含めてもよい。言い換えると、AMFは、第2の識別情報に含まれ、さらに、AMFに設定されたLADN DNNのいずれにも合致しないLADN DNNが、一又は複数存在する場合、前記LADN DNNを第15の識別情報に含めてもよい。
【０２３５】
さらに、AMFは、第15の識別情報を送信することで、第15の識別情報に含まれるLADN DNNのためのLADN情報の要求が失敗したことを示してもよい。さらに、AMFは、第15の識別情報を送信することで、第15の識別情報に含まれるLADN DNNのための新しいLADN情報を要求するための登録手続きの再実行が禁止されていることを示してもよい。
【０２３６】
さらに、AMFは、一又複数のLADN DNNを第12の識別情報に含めない場合や、一又複数のLADN DNNを第15の識別情報に含めた場合であっても、ネットワークが許可したLADN DNNを第12の識別情報に含めてもよい。ここで、ネットワークが許可したLADN DNNは、ネットワークが保持するDNNリストに含まれるLADN DNNであってもよいし、AMFに設定されたLADN DNNであってもよい。さらに、ネットワークが許可したLADN DNNは、現在のレジストレーションエリアにおいて有効なLADN DNNであってもよい。
【０２３７】
尚、AMFは、第11から15の識別情報の内、どの識別情報を登録受諾メッセージに含めるかを、受信した各識別情報、及び/又は加入者情報、及び/又はネットワークの能力情報、及び/又はオペレータポリシー、及び/又はネットワークの状態、及び/又はユーザの登録情報、及び/又はAMFが保持するコンテキスト等に基づいて、選択、決定してもよい。
【０２３８】
また、AMFは、登録受諾メッセージにSMメッセージ(例えば、PDUセッション確立受諾メッセージ)を含めて送信するか、又は登録受諾メッセージとともにSMメッセージ(例えば、PDUセッション確立受諾メッセージ)を送信することができる。ただし、この送信方法は、登録要求メッセージの中にSMメッセージ(例えば、PDUセッション確立要求メッセージ)が含められており、かつ、第4の条件判別が真の場合に、実行されてもよい。また、この送信方法は、登録要求メッセージとともにSMメッセージ(例えば、PDUセッション確立要求メッセージ)を含められており、かつ、第4の条件判別が真の場合に、実行されてもよい。AMFは、このような送信方法を行うことにより、登録手続きにおいて、SMのための手続きが受諾されたことを示すことができる。
【０２３９】
また、AMFは、受信した各識別情報、及び/又は加入者情報、及び/又はネットワークの能力情報、及び/又はオペレータポリシー、及び/又はネットワークの状態、及び/又はユーザの登録情報、及び/又はAMFが保持するコンテキスト等に基づいて、登録受諾メッセージを送信することで、UEの要求が受諾されたことを示してもよい。
【０２４０】
さらに、AMFは、登録受諾メッセージに、UEの一部の要求が拒絶されたことを示す情報を含めて送信してもよいし、UEの一部の要求が拒絶されたことを示す情報を送信することで、UEの一部の要求が拒絶された理由を示してもよい。さらに、UEは、UEの一部の要求が拒絶されたことを示す情報を受信することで、UEの一部の要求が拒絶された理由を認識してもよい。尚、拒絶された理由は、AMFが受信した識別情報が示す内容が許可されていないことを示す情報であってもよい。
【０２４１】
UEは、5G AN(gNB)介して、登録受諾メッセージを受信する(S808)。UEは、登録受諾メッセージを受信することで、登録要求メッセージによるUEの要求が受諾されたこと、及び登録受諾メッセージに含まれる各種の識別情報の内容を認識することができる。
【０２４２】
UEは、さらに、登録受諾メッセージに対する応答メッセージとして、登録完了メッセージを、5G AN(gNB)介して、AMFに送信することができる(S810)。尚、UEは、PDUセッション確立受諾メッセージ等のSMメッセージを受信した場合は、登録完了メッセージに、PDUセッション確立完了メッセージ等のSMメッセージを含めて送信してもよいし、SMメッセージを含めることで、SMのための手続きが完了したことを示してもよい。ここで、登録完了メッセージは、N1インターフェース上で送受信されるNASメッセージであるが、UEと5G AN(gNB)間はRRCメッセージに含まれて送受信される。
【０２４３】
AMFは、5G AN(gNB)介して、登録完了メッセージを受信する(S810)。また、各装置は、登録受諾メッセージ、及び/又は登録完了メッセージの送受信に基づき、図6の(A)の手続きを完了する。
【０２４４】
次に、第1の条件判別が偽の場合について説明する。AMFは、図6の(B)の手続きにおいて、登録要求メッセージに対する応答メッセージとして、5G AN(gNB)を介して、UEに登録拒絶(Registration reject)メッセージを送信する(S812)。ここで、登録拒絶メッセージは、N1インターフェース上で送受信されるNASメッセージであるが、UEと5G AN(gNB)間はRRCメッセージに含まれて送受信される。
【０２４５】
尚、AMFは、登録拒絶メッセージを送信することで、登録要求メッセージによるUEの要求が拒絶されたことを示してもよい。さらに、AMFは、登録拒絶メッセージに拒絶された理由を示す情報を含めて送信してもよいし、拒絶された理由を送信することで拒絶された理由を示してもよい。さらに、UEは、UEの要求が拒絶された理由を示す情報を受信することで、UEの要求が拒絶された理由を認識してもよい。尚、拒絶された理由は、AMFが受信した識別情報が示す内容が許可されていないことを示す情報であってもよい。
【０２４６】
UEは、5G AN(gNB)介して、登録拒絶メッセージを受信する(S812)。UEは、登録拒絶メッセージを受信することで、登録要求メッセージによるUEの要求が拒絶されたこと、及び登録拒絶メッセージに含まれる各種の識別情報の内容を認識することができる。また、UEは、登録要求メッセージを送信した後、所定の期間が経過しても、登録拒絶メッセージを受信しない場合には、UEの要求が拒絶されたことを認識してもよい。各装置は、登録拒絶メッセージの送受信に基づき、本手続き中の(B)の手続きを完了する。
【０２４７】
尚、図6の(B)の手続きは、図6の(A)の手続きを中止した場合に開始される場合もある。図6の(A)の手続きにおいて、第4の条件判別が真の場合、AMFは、登録拒絶メッセージに、PDUセッション確立拒絶メッセージ等の拒絶を意味するSMメッセージを含めて送信してもよいし、拒絶を意味するSMメッセージを含めることで、SMのための手続きが拒絶されたことを示してもよい。その場合、UEは、さらに、PDUセッション確立拒絶メッセージ等の拒絶を意味するSMメッセージを受信してもよいし、SMのための手続きが拒絶されたことを認識してもよい。
【０２４８】
各装置は、図6の(A)又は(B)の手続きの完了に基づいて、登録手続きを完了する。尚、各装置は、図6の(A)の手続きの完了に基づいて、UEがネットワークに登録された状態(RM_REGISTERED state)に遷移してもよいし、図6の(B)の手続きの完了に基づいて、UEがネットワークに登録されていない状態(RM_DEREGISTERED state)を維持してもよいし、UEがネットワークに登録されていない状態へ遷移してもよい。また、各装置の各状態への遷移は、登録手続きの完了に基づいて行われてもよく、PDUセッションの確立に基づいて行われてもよい。
【０２４９】
さらに、各装置は、登録手続きの完了に基づいて、登録手続きで送受信した情報に基づいた処理を実施してもよい。例えば、UEの一部の要求が拒絶されたことを示す情報を送受信した場合、UEの要求が拒絶された理由を認識してもよい。さらに、各装置は、UEの要求が拒絶された理由に基づいて、再度本手続きを実施してもよいし、コアネットワーク_Bや別のセルに対して登録手続きを実施してもよい。
【０２５０】
さらに、UEは、登録手続きの完了に基づいて、登録受諾メッセージ、及び/又は登録拒絶メッセージとともに受信した識別情報を記憶してもよいし、ネットワークの決定を認識してもよい。
【０２５１】
例えば、UEは、第11の識別情報を受信した場合、ネットワークがLADNサービスエリアの拡張をサポートしていることを認識してもよい。さらに、UEは、第11の識別情報を受信した場合、LADNサービスエリアの拡張の使用が許可されたことを認識してもよい。言い換えると、UEは、第11の識別情報を受信した場合、一又は複数のトラッキングエリアによって構成されるエリアだけではなく、一又は複数のトラッキングエリアによって構成されるエリアとは異なるエリアも、LADNサービスエリアとして設定することが可能であることを認識してもよいし、LADNサービスエリアとして使用することが可能であることを認識してもよい。UEは、第11の識別情報を受信した場合、時間によってLADNサービスエリアを変更することが可能であると認識してもよい。これらの場合、第11の識別情報は、LADNサービスエリアの拡張のサポートを示す情報であってよい。さらに、これらの場合、UEは、拡張されたLADN情報、及び/又は拡張されたLADNサービスエリアを用いて、LADNのためのPDUセッションを確立してもよいし、LADNとの間で通信してもよい。
【０２５２】
逆に、UEは、LADNサービスエリアの拡張をサポートしないことを示す第11の識別情報を受信した場合、又は第11の識別情報を受信しなかった場合、ネットワークがLADNサービスエリアの拡張をサポートしていないことを認識してもよい。さらに、UEは、LADNサービスエリアの拡張をサポートしないことを示す第11の識別情報を受信した場合、又は第11の識別情報を受信しなかった場合、LADNサービスエリアの拡張の使用が許可されていないことを認識してもよい。言い換えると、UEは、LADNサービスエリアの拡張をサポートしないことを示す第11の識別情報を受信した場合、又は第11の識別情報を受信しなかった場合、一又は複数のトラッキングエリアによって構成されるエリアのみを、LADNサービスエリアとして設定することが可能であることを認識してもよいし、LADNサービスエリアとして使用することが可能であることを認識してもよい。UEは、LADNサービスエリアの拡張をサポートしないことを示す第11の識別情報を受信した場合、又は第11の識別情報を受信しなかった場合、時間によってLADNサービスエリアを変更することが可能ではないと認識してもよい。これらの場合、UEは、従来のLADN情報、及び/又は従来のLADNサービスエリアを用いて、LADNのためのPDUセッションを確立してもよいし、LADNとの間で通信してもよい。
【０２５３】
さらに、UEは、第11の識別情報を受信した場合、ネットワークがLADNサービスエリアの拡張の利用制限をサポートしていることを、認識してもよい。さらに、UEは、第11の識別情報を受信した場合、LADNサービスエリアの拡張の使用が制限されていることを認識してもよい。この場合、第11の識別情報は、LADNサービスエリアの拡張の利用制限のサポートを示す情報であってよい。
【０２５４】
逆に、UEは、LADNサービスエリアの拡張の利用制限をサポートしないことを示す第11の識別情報を受信した場合、又は第11の識別情報を受信しなかった場合、ネットワークがLADNサービスエリアの拡張の利用制限をサポートしていないことを、認識してもよい。さらに、UEは、LADNサービスエリアの拡張の利用制限をサポートしないことを示す第11の識別情報を受信した場合、又は第11の識別情報を受信しなかった場合、LADNサービスエリアの拡張の使用が制限されていないことを認識してもよい。尚、LADNサービスエリアの拡張の利用が制限されている場合、UEが拡張されたLADNサービスエリアを使用することは、禁止されていてもよい。
【０２５５】
さらに、UEは、第12の識別情報を受信した場合、ネットワークがLADNをサポートしていることを認識してもよいし、LADNへの接続が許可されたことを認識してもよい。さらに、UEは、第12の識別情報を受信した場合、LADNへの接続において利用可能なDNNの一覧、及び/又はLADNへの接続が可能なエリアであるLADNサービスエリアを、認識してもよいし、コンテキストに記憶してもよい。さらに、UEは、第12の識別情報を受信した場合、LADNへの接続において利用可能な一又は複数のS-NSSAIを、認識してもよいし、コンテキストに記憶してもよい。さらに、UEは、LADNへの接続において利用可能なS-NSSAIと、LADNへの接続において利用可能なDNN、及び/又はLADNサービスエリアとが関連づけられていると認識してもよいし、LADNへの接続において利用可能なS-NSSAIと、LADNへの接続において利用可能なDNN、及び/又はLADNサービスエリアとを関連づけてコンテキストに記憶してもよい。
【０２５６】
言い換えると、UEは、第12の識別情報を受信した場合、受信したLADN DNNに対応づけられたLADNのためのPDUセッションが確立可能であることを認識してもよいし、受信したLADN S-NSSAIに対応づけられたLADNのためのPDUセッションが確立可能であることを認識してもよい。さらに、UEは、第12の識別情報を受信した場合、受信したLADN DNNとLADN S-NSSAIとの組合せに対応づけられたLADNのためのPDUセッションが確立可能であることを認識してもよい。
【０２５７】
さらに、言い換えると、UEは、第12の識別情報を受信した場合、LADNサービスエリアが、LADN DNNに対応づけられたLADNのためのPDUセッションが確立可能なエリアであることを認識してもよいし、LADN S-NSSAIに対応づけられたLADNのためのPDUセッションが確立可能なエリアであることを認識してもよい。さらに、UEは、第12の識別情報を受信した場合、受信したLADNサービスエリアが、LADN DNNとLADN S-NSSAIとの組合せに対応づけられたLADNのためのPDUセッションが確立可能なエリアであることを認識してもよい。
【０２５８】
逆に、UEは、第12の識別情報を受信しなかった場合、ネットワークがLADNをサポートしていないことを認識してもよいし、LADNへの接続が許可されていないことを認識してもよい。さらに、UEは、第12の識別情報を受信しなかった場合、UEが記憶しているLADN情報が無効であることを認識してもよいし、UEが記憶しているLADN情報を無効化してもよい。さらに、UEは、第12の識別情報を受信しなかった場合、UEが記憶しているLADN情報の削除が必要であることを認識してもよいし、UEが記憶しているLADN情報を削除してもよい。
【０２５９】
さらに、UEは、中身が空の第12の識別情報を受信した場合、ネットワークがLADNをサポートしていないことを認識してもよいし、LADNへの接続が許可されていないことを認識してもよい。さらに、UEは、中身が空の第12の識別情報を受信した場合、UEが記憶しているLADN情報が無効であることを認識してもよいし、UEが記憶しているLADN情報を無効化してもよい。さらに、UEは、中身が空の第12の識別情報を受信した場合、UEが記憶しているLADN情報の削除が必要であることを認識してもよいし、UEが記憶しているLADN情報を削除してもよい。
【０２６０】
これらの場合、UEがLADNのためのPDUセッションを持っている場合に、UEは、ローカルで、LADNのためのPDUセッションを解放してもよい。より詳細には、これらの場合、UEが一又複数のLADNのためのPDUセッションを持っている場合に、UEは、ローカルで、全てのLADNのためのPDUセッションを解放してもよい。さらに、これらの場合、UEがLADNのためのPDUセッションを持っている場合に、LADNのためのPDUセッションは解放されてもよい。より詳細には、これらの場合、UEが一又複数のLADNのためのPDUセッションを持っている場合に、全てのLADNのためのPDUセッションは解放されてもよい。
【０２６１】
さらに、これらの場合、UEがLADNのためのPDUセッションを持っている場合に、UEは、ネットワーク要求のPDUセッション解放手続きによって、LADNのためのPDUセッションを解放してもよい。さらに、これらの場合、UEがLADNのためのPDUセッションを持っている場合に、UEは、UE要求のPDUセッション解放手続きによって、LADNのためのPDUセッションを解放してもよい。さらに、これらの場合、UEがLADNのためのPDUセッションを持っている場合に、UEは、LADNのためのPDUセッションを解放するために、UE要求のPDUセッション解放手続きを開始してもよい。
【０２６２】
さらに、これらの場合、UEが古いLADN情報に対応づけられたPDUセッションを持っている場合に、UEは、ローカルで、前記PDUセッションを解放してもよい。さらに、これらの場合、UEが古いLADN情報に対応づけられた、一又複数のPDUセッションを持っている場合に、UEは、ローカルで、古いLADN情報に対応づけられた、全てのPDUセッションを解放してもよい。
【０２６３】
さらに、AMFが、モビリティと登録更新のための登録手続きの間に、登録受諾メッセージに第12の識別情報を含めない場合、UEは、古いLADN情報を削除してもよい。この場合、UEがLADNのためのPDUセッションを持っている場合に、UEは、ローカルで、LADNのためのPDUセッションを解放してもよい。
【０２６４】
より詳細には、AMFが、モビリティと登録更新のための登録手続きの間に、登録受諾メッセージに第12の識別情報を含めない場合、UEは、古いLADN情報を削除してもよい。この場合、UEが一又複数のLADNのためのPDUセッションを持っている場合に、UEは、ローカルで、全てのLADNのためのPDUセッションを解放してもよい。
【０２６５】
さらに、AMFが、モビリティと登録更新のための登録手続きの間に、登録受諾メッセージに第12の識別情報を含めない場合、UEは、古いLADN情報を削除してもよい。この場合、UEがLADNのためのPDUセッションを持っている場合に、LADNのためのPDUセッションは解放されてもよい。
【０２６６】
より詳細には、AMFが、モビリティと登録更新のための登録手続きの間に、登録受諾メッセージに第12の識別情報を含めない場合、UEは、古いLADN情報を削除してもよい。この場合、UEが一又複数のLADNのためのPDUセッションを持っている場合に、全てのLADNのためのPDUセッションは解放されてもよい。
【０２６７】
さらに、AMFが、モビリティと登録更新のための登録手続きの間に、登録受諾メッセージに第12の識別情報を含めない場合、UEは、古いLADN情報を削除してもよい。この場合、UEがLADNのためのPDUセッションを持っている場合に、UEは、ネットワーク要求のPDUセッション解放手続きによって、LADNのためのPDUセッションを解放してもよい。
【０２６８】
さらに、AMFが、モビリティと登録更新のための登録手続きの間に、登録受諾メッセージに第12の識別情報を含めない場合、UEは、古いLADN情報を削除してもよい。この場合、UEがLADNのためのPDUセッションを持っている場合に、UEは、UE要求のPDUセッション解放手続きによって、LADNのためのPDUセッションを解放してもよい。
【０２６９】
さらに、AMFが、モビリティと登録更新のための登録手続きの間に、登録受諾メッセージに第12の識別情報を含めない場合、UEは、古いLADN情報を削除してもよい。この場合、UEがLADNのためのPDUセッションを持っている場合に、UEは、LADNのためのPDUセッションを解放するために、UE要求のPDUセッション解放手続きを開始してもよい。
【０２７０】
さらに、AMFが、モビリティと登録更新のための登録手続きの間に、登録受諾メッセージに第12の識別情報を含めない場合、UEは、古いLADN情報を削除してもよい。この場合、UEが古いLADN情報に対応づけられたPDUセッションを持っている場合に、UEは、ローカルで、前記PDUセッションを解放してもよい。
【０２７１】
さらに、AMFが、モビリティと登録更新のための登録手続きの間に、登録受諾メッセージに第12の識別情報を含めない場合、UEは、古いLADN情報を削除してもよい。この場合、UEが古いLADN情報に対応づけられた、一又複数のPDUセッションを持っている場合に、UEは、ローカルで、古いLADN情報に対応づけられた、全てのPDUセッションを解放してもよい。
【０２７２】
さらに、UEは、古いLADN情報を削除した場合、LADNサービスエリア外に位置していると認識してもよい。さらに、UEは、LADNサービスエリア外に位置して場合においても、LADNのためのPDUセッションを維持してもよい。具体的には、UEは、LADNサービスエリア外に位置して場合においても、PDUセッション解放コマンド(PDU session release command)メッセージを受信するまでの間、LADNのためのPDUセッションを維持してもよい。尚、PDUセッション解放コマンドメッセージは、ネットワーク要求のPDUセッション解放手続きにおいて送受信されるメッセージであってもよいし、UE要求のPDUセッション解放手続きにおいて送受信されるメッセージであってもよい。
【０２７３】
ここで、上記で説明した、解放されるLADNのためのPDUセッションは、古いLADN情報に対応づけられたPDUセッションであってよい。言い換えると、解放されるLADNのためのPDUセッションは、削除されるLADN情報に対応づけられたPDUセッションであってよい。
【０２７４】
さらに、ネットワーク要求のPDUセッション解放手続きは、SMFがUEに、PDUセッション解放コマンドメッセージを送信することで開始される手続きであってよい。UEは、ネットワーク要求のPDUセッション解放手続きにおいて、SMFからのPDUセッション解放コマンドメッセージの受信、及び/又はネットワーク要求のPDUセッション解放手続きの完了に基づいてPDUセッションを解放してもよい。
【０２７５】
さらに、UE要求のPDUセッション解放手続きは、UEがSMFに、PDUセッション解放要求メッセージを送信することで開始される手続きであってよい。UEは、UE要求のPDUセッション解放手続きにおいて、PDUセッション解放要求メッセージの応答メッセージとして、SMFからPDUセッション解放コマンドメッセージを受信してもよいし、SMFからのPDUセッション解放コマンドメッセージの受信、及び/又はUE要求のPDUセッション解放手続きの完了に基づいてPDUセッションを解放してもよい。
【０２７６】
尚、各装置がPDUセッションを持っているとは、各装置がPDUセッションを確立していることを意味してもよい。具体的には、UEがPDUセッションを持っているとは、UEがPDUセッションを確立していることを意味してもよい。さらに、AMFがPDUセッションを持っているとは、AMFがPDUセッションを確立していることを意味してもよい。さらに、SMFがPDUセッションを持っているとは、SMFがPDUセッションを確立していることを意味してもよい。
【０２７７】
さらに、UEは、第12の識別情報、及び/又は第15の識別情報に基づいて、UEが要求したLADN DNNが使用可能であるか否かを認識してもよいし、同じLADN DNNのための新しいLADN情報を要求するための登録手続きが禁止されているか否かを認識してもよい。
【０２７８】
例えば、UEは、UEが要求したLADN DNNが第12の識別情報に含まれている場合、UEが要求したLADN DNNが使用不可能であることを認識してもよい。逆に、UEは、UEが要求したLADN DNNが第12の識別情報に含まれていない場合、及び/又はUEが要求したLADN DNNが第15の識別情報に含まれている場合、UEが要求したLADN DNNが使用不可能であると認識してもよい。また、UEは、UEが要求したLADN DNN以外のLADN DNNが第12の識別情報に含まれている場合、UEが要求したLADN DNNが使用不可能であることを認識してもよいし、UEが要求した以外で使用可能なLADN DNNを認識してもよい。尚、UEは、LADN DNNが使用可能であると認識した場合、前記LADN DNNに対応づけられたLADNサービスエリア内に位置している状態において、前記LADN DNNを用いたPDUセッション確立手続きを開始してもよい。
【０２７９】
さらに、第2の識別情報に含まれ、さらに、第12の識別情報に含まれないLADN DNNが、一又複数存在する場合、前記LADN DNNのための新しいLADN情報を要求するための登録手続きを、UEが再度開始することが禁止されていてもよい。言い換えると、第2の識別情報に含まれるLADN DNNの内の、一又は複数のLADN DNNが含まれない第12の識別情報を受信した場合、前記LADN DNNのための新しいLADN情報を要求するための登録手続きを、UEが再度開始することが禁止されていてもよい。
【０２８０】
さらに、第15の識別情報が登録受諾メッセージに含まれる場合、第15の識別情報に含まれるLADN DNNのための新しいLADN情報を要求するための登録手続きを、UEが再度開始することが禁止されていてもよい。言い換えると、第15の識別情報に含まれるLADN DNNが、一又複数存在する場合、前記LADN DNNのための新しいLADN情報を要求するための登録手続きを、UEが再度開始することが禁止されていてもよい。
【０２８１】
尚、前記登録手続きは、モビリティと登録更新のための登録手続きであってよい。さらに、前記登録手続きは、新しいLADN情報を要求するための手続きであってもよい。さらに、UEは、前記登録手続きにおいて、LADN情報を受信した場合、受信したLADN情報を記憶してもよい。尚、UEは、前記登録手続きにおいて、第2の識別情報を含む登録要求メッセージを送信することで、新しいLADN情報を要求してもよいし、ネットワークからLADN情報を取得してもよい。また、UEは、前記登録手続きにおいて、第2の識別情報を含まない登録要求メッセージを送信した場合であっても、ネットワークからLADN情報を取得してもよい。
【０２８２】
ここで、UEは、ネットワークとLADN情報を同期するために、前記登録手続きを開始してもよい。さらに、UEは、LADNサービスエリア外による失敗を避けるために、前記登録手続きを開始してもよい。
【０２８３】
さらに、第2の識別情報に含まれ、さらに、第12の識別情報に含まれないLADN DNNが、一又複数存在し、さらに、前記LADN DNNのLADN情報をUEが記憶している場合、UEは、前記LADN DNNのLADN情報を削除してもよい。言い換えると、第2の識別情報に含まれるLADN DNNの内の、一又は複数のLADN DNNが含まれない第12の識別情報を受信し、さらに、前記LADN DNNのLADN情報をUEが記憶している場合、UEは、前記LADN DNNのLADN情報を削除してもよい。
【０２８４】
さらに、第15の識別情報が登録受諾メッセージに含まれ、さらに、第15の識別情報に含まれるLADN DNNのLADN情報をUEが記憶している場合、UEは、前記LADN DNNのLADN情報を削除してもよい。言い換えると、第15の識別情報に含まれるLADN DNNが、一又複数存在する場合し、さらに、前記LADN DNNのLADN情報をUEが記憶している場合、UEは前記LADN DNNのLADN情報を削除してもよい。
【０２８５】
逆に、第2の識別情報に含まれていないLADN DNNのLADN情報をUEが記憶している場合、UEは、前記LADN DNNにLADN DNNのLADN情報を削除しなくてもよい。
【０２８６】
AMFは、第12の識別情報にLADN DNNを含めないことで、UEが記憶する、前記LADN DNNのLADN情報の削除が必要であることを示してもよい。さらに、AMFは、第15の識別情報にLADN DNNを含めることで、UEが記憶する、前記LADN DNNのLADN情報の削除が必要であることを示してもよい。
【０２８７】
さらに、UEは、第13の識別情報を受信した場合、LADNサービスエリアの粒度を認識してもよい。より詳細には、UEは、第12の識別情報と共に、第13の識別情報を受信した場合、第12の識別情報に含まれるLADNサービスエリア情報が示すLADNサービスエリアの粒度を、認識してもよいし、LADNサービスエリア情報と関連づけてコンテキストに記憶してもよい。具体的には、UEは、第12の識別情報と共に、第13の識別情報を受信した場合、LADNサービスエリアの粒度として、LADNサービスエリア情報が示すLADNサービスエリアが、一又複数のトラッキングエリアによって構成されるエリアであると認識してもよいし、一又複数のトラッキングエリアによって構成されるエリアとは異なるエリアであると認識してもよい。さらに、UEは、第12の識別情報と共に、第13の識別情報を受信した場合、LADNサービスエリア情報として、トラッキングエリアIDリストが含まれていることを認識してもよいし、RANのアシストが必要な情報が含まれていることを認識してもよいし、RANのアシストが必要ではない情報が含まれてことを認識してもよい。
【０２８８】
逆に、UEは、第13の識別情報を受信しなかった場合、デフォルトの粒度を、LADNサービスエリアの粒度として使用してもよい。さらに、UEは、第13の識別情報を受信した場合であっても、第13の識別情報が無効な情報である場合、及び/又はUEがLADNサービスエリアの拡張をサポートしていない場合、受信した第13の識別情報を無視してもよいし、デフォルトの粒度を、LADNサービスエリアの粒度として使用してもよい。ここで、デフォルトの粒度は、UEに予め設定されている粒度であってもよいし、以前にネットワークから受信した情報が示す粒度であってもよい。さらに、デフォルトの粒度の場合、LADNサービスエリアは、一又複数のトラッキングエリアによって構成されるエリアであってもよく、LADNサービスエリア情報は、トラッキングエリアIDリストであってもよい。
【０２８９】
尚、UEは、第12の識別情報の中に複数のLADNを示す情報が含まれている場合、LADNを示す情報毎に、LADNサービスエリアの粒度を、LADNを示す情報に関連づけてコンテキストに記憶してもよい。さらに、UEは、第12の識別情報の中に複数のLADNサービスエリア情報が含まれている場合、LADNサービスエリア情報毎に、LADNサービスエリアの粒度を、LADNサービスエリア情報に関連づけてコンテキストに記憶してもよい。
【０２９０】
さらに、UEは、第14の識別情報を受信した場合、LADNサービスエリアが有効である期間を認識してもよい。より詳細には、UEは、第12の識別情報と共に、第14の識別情報を受信した場合、第12の識別情報に含まれるLADNサービスエリア情報が示すLADNサービスエリアが有効である期間を、認識してもよいし、LADNサービスエリア情報と関連づけてコンテキストに記憶してもよい。
【０２９１】
逆に、UEは、第14の識別情報を受信しなかった場合デフォルトの期間を、LADNサービスエリアが有効である期間として使用してもよい。さらに、UEは、第14の識別情報を受信した場合であっても、第14の識別情報が無効な情報である場合、及び/又はUEがLADNサービスエリアの拡張をサポートしていない場合、受信した第14の識別情報を無視してもよいし、デフォルトの期間を、LADNサービスエリアが有効である期間として使用してもよい。ここで、デフォルトの期間は、UEに予め設定されている期間であってもよいし、以前にネットワークから受信した情報が示す期間であってもよい。さらに、デフォルトの期間は、LADN情報が更新されるまでの期間であってもよい。
【０２９２】
尚、UEは、第12の識別情報の中に複数のLADNを示す情報が含まれている場合、LADNを示す情報毎に、LADNサービスエリアが有効である期間を、LADNを示す情報に関連づけてコンテキストに記憶してもよい。さらに、UEは、第12の識別情報の中に複数のLADNサービスエリア情報が含まれている場合、LADNサービスエリア情報毎に、LADNサービスエリアが有効である期間を、LADNサービスエリア情報に関連づけてコンテキストに記憶してもよい。
【０２９３】
さらに、UEは、第12の識別情報と共に、第11の識別情報、及び/又は第13の識別情報、及び/又は第14の識別情報を受信した場合、拡張されたLADN情報、及び/又は拡張されたLADNサービスエリアの使用が可能であることを認識してもよいし、使用可能である、LADN情報、及び/又はLADNサービスエリア情報をコンテキストに記憶してもよい。さらに、UEは、この場合、受信したLADN情報が拡張されたLADN情報であることを認識してもよいし、受信したLADN情報を、拡張されたLADN情報としてコンテキストに記憶してもよい。さらに、UEは、この場合、受信したLADNサービスエリア情報が示すLADNサービスエリアが拡張されたLADNサービスエリアであることを認識してもよいし、受信したLADNサービスエリア情報を、拡張されたLADNサービスエリアを示すLADNサービスエリア情報としてコンテキストに記憶してもよい。この場合、第11の識別情報は、LADNサービスエリアの拡張のサポートを示す情報であってよく、第12の識別情報は、拡張されたLADN情報であってよい。
【０２９４】
逆に、UEは、第11の識別情報、及び/又は第12の識別情報を受信し、第13の識別情報、及び/又は第14の識別情報を受信しなかった場合、及び/又は第12の識別情報を受信し、第11の識別情報、及び/又は第13の識別情報、及び/又は第14の識別情報を受信しなかった場合、拡張されたLADN情報、及び/又は拡張されたLADNサービスエリアの使用が可能ではないことを認識してもよい。さらに、UEは、この場合、従来のLADN情報、及び/又は従来のLADNサービスエリアの使用が可能であることを認識してもよいし、使用可能である、LADN情報、及び/又はLADNサービスエリア情報をコンテキストに記憶してもよい。さらに、UEは、この場合、受信したLADN情報が従来のLADN情報であることを認識してもよいし、受信したLADN情報を、従来のLADN情報としてコンテキストに記憶してもよい。さらに、UEは、この場合、受信したLADNサービスエリア情報が示すLADNサービスエリアが従来のLADNサービスエリアであることを認識してもよいし、受信したLADNサービスエリア情報を、従来のLADNサービスエリアを示すLADNサービスエリア情報としてコンテキストに記憶してもよい。この場合、第11の識別情報は、LADNサービスエリアの拡張がサポートされないことを示す情報であってよく、第12の識別情報は、従来のされたLADN情報であってよい。
【０２９５】
さらに、UEは、UEがLADNサービスエリアの拡張をサポートしていない状態で第12の識別情報を受信した場合、拡張されたLADN情報、及び/又は拡張されたLADNサービスエリアの使用が可能ではないことを認識してもよい。さらに、UEは、この場合、従来のLADN情報、及び/又は従来のLADNサービスエリアの使用が可能であることを認識してもよいし、使用可能である、LADN情報、及び/又はLADNサービスエリア情報をコンテキストに記憶してもよい。さらに、UEは、この場合、受信したLADN情報が従来のLADN情報であることを認識してもよいし、受信したLADN情報を、従来のLADN情報としてコンテキストに記憶してもよい。さらに、UEは、この場合、受信したLADNサービスエリア情報が示すLADNサービスエリアが従来のLADNサービスエリアであることを認識してもよいし、受信したLADNサービスエリア情報を、従来のLADNサービスエリアを示すLADNサービスエリア情報としてコンテキストに記憶してもよい。この場合、第12の識別情報は、従来のされたLADN情報であってよい。
【０２９６】
さらに、UEは、少なくとも第12の識別情報を受信し、受信した情報が示すLADNサービスエリアの中に位置している場合、LADNのためのPDUセッションの確立が可能であることを認識してもよいし、LADNのためのPDUセッションを確立するためのPDUセッション確立手続きを開始してもよい。言い換えると、UEは、少なくとも第12の識別情報を受信し、受信した情報が示すLADNサービスエリアの外に位置している場合、LADNのためのPDUセッションの確立が可能ではないことを認識してもよいし、LADNのためのPDUセッションを確立するためのPDUセッション確立手続きが禁止されていてもよい。
【０２９７】
さらに、UEは、LADN情報の更新、及び/又はLADNサービスエリアの中に位置しているか否かの判断に基づいて、LADNのためのPDUセッションを確立するためのPDUセッション確立手続きを開始してもよい。具体的には、UEは、UEがLADNサービスエリアの内に位置しているとの判断に基づいて、LADNのためのPDUセッションを確立するためのPDUセッション確立手続きを開始してもよい。逆に、各装置は、UEがLADNサービスエリアの外に位置しているとの判断に基づいて、LADNのためのPDUセッションを解放してもよいし、LADNのためのPDUセッションに関連づけられたユーザプレーンリソースを解放してもよい。
【０２９８】
ここで、UEがLADNサービスエリアの中に位置しているか否かの判断は、拡張されたLADNサービスエリアを基に実施されてもよいし、従来のLADNサービスエリアを基に実施されてもよい。言い換えると、各装置が拡張されたLADNサービスエリアを記憶している場合、各装置は、拡張されたLADNサービスエリアを基に、UEがLADNサービスエリアの中にいるか否かの判断を実施してもよい。逆に、各装置が従来のLADNサービスエリアを記憶している場合、各装置は、従来のLADNサービスエリアを基に、UEがLADNサービスエリアの中にいるか否かの判断を実施してもよい。
【０２９９】
さらに、記憶しているLADNサービスエリアが、トラッキングエリアIDリストである場合、UEが記憶しているLADNサービスエリア情報と、RANから取得したトラッキングエリアIDとの比較に基づいて、LADNサービスエリアの中に位置しているか否かを判断してよい。具体的には、UEは、RANから取得したトラッキングエリアIDが、UEが記憶しているLADNサービスエリア情報に含まれている場合、UEがLADNサービスエリアの中に位置していると認識、記憶してもよい。逆に、UEは、RANから取得したトラッキングエリアIDが、UEが記憶しているLADNサービスエリア情報に含まれていない場合、UEがLADNサービスエリアの外に位置していると認識、記憶してもよい。
【０３００】
さらに、記憶しているLADNサービスエリアが、RANのアシストが必要な情報である場合、UEが記憶しているLADNサービスエリア情報と、RANから取得した情報との比較に基づいて、LADNサービスエリアの中に位置しているか否かを判断してよい。具体的には、UEは、RANから取得した情報が、UEが記憶しているLADNサービスエリア情報に含まれている場合、UEがLADNサービスエリアの中に位置していると認識、記憶してもよい。逆に、UEは、RANから取得した情報が、UEが記憶しているLADNサービスエリア情報に含まれていない場合、UEがLADNサービスエリアの外に位置していると認識、記憶してもよい。
【０３０１】
さらに、記憶しているLADNサービスエリアが、RANのアシストが必要ではない情報である場合、UEが記憶しているLADNサービスエリア情報と、RAN以外から取得した情報との比較に基づいて、LADNサービスエリアの中に位置しているか否かを判断してよい。具体的には、UEは、RAN以外から取得した情報が、UEが記憶しているLADNサービスエリア情報に含まれている場合、UEがLADNサービスエリアの中に位置していると認識、記憶してもよい。逆に、UEは、RAN以外から取得した情報が、UEが記憶しているLADNサービスエリア情報に含まれていない場合、UEがLADNサービスエリアの外に位置していると認識、記憶してもよい。
【０３０２】
また、UEがLADNサービスエリアの中に位置しているか否かの判断は、ネットワークからUEに対して送信される制御メッセージの送受信を基に実施してもよい。具体的には、UEは、ネットワークからの制御メッセージの受信に基づいて、UEがLADNサービスエリアの中に位置していると認識、記憶してもよい。逆に、UEは、ネットワークからの制御メッセージの受信に基づいて、UEがLADNサービスエリアの外に位置していると認識、記憶してもよい。ここで、ネットワークからUEに対して送信される制御メッセージは、例えば、LCS(Location Services)の為の制御メッセージであってもよい。尚、UEがLADNサービスエリアの中に位置しているか否かの判断は、これらに限らなくてよい。
【０３０３】
さらに、UEは、LADNサービスエリアが有効である期間内において、LADNのためのPDUセッションの確立が可能であることを認識してもよいし、LADNのためのPDUセッションを確立するためのPDUセッション確立手続きを開始してもよい。言い換えると、UEは、LADNサービスエリアが有効である期間外において、LADNのためのPDUセッションの確立が可能ではないことを認識してもよいし、LADNのためのPDUセッションを確立するためのPDUセッション確立手続きが禁止されていてもよい。
【０３０４】
さらに、UEは、LADN情報の更新、及び/又はLADNサービスエリアの有効化の判断に基づいて、LADNのためのPDUセッションを確立するためのPDUセッション確立手続きを開始してもよい。具体的には、UEは、LADNサービスエリアの有効化に基づいて、LADNのためのPDUセッションを確立するためのPDUセッション確立手続きを開始してもよい。逆に、各装置は、LADNサービスエリアの無効化に基づいて、無効化されたLADNサービスエリアに関連づけられて確立された、LADNのためのPDUセッションを解放してもよいし、LADNのためのPDUセッションに関連づけられたユーザプレーンリソースを解放してもよい。
【０３０５】
ここで、LADNサービスエリアの有効化の判断は、LADNサービスエリアが有効である期間を示す情報に基づいて、実施されてもよい。具体的には、UE、LADNサービスエリアが有効である期間と、現在時刻とを比較し、現在時刻が、LADNサービスエリアが有効である期間内である場合には、LADNサービスエリアが有効であると判断してもよい。逆に、UE、LADNサービスエリアが有効である期間と、現在時刻とを比較し、現在時刻が、LADNサービスエリアが有効である期間外である場合には、LADNサービスエリアが無効であると判断してもよい。さらに、UEは、受信した情報が示すLADNサービスエリアが有効である期間の開始に基づいて、関連づけられたLADNサービスエリアを有効化してもよい。逆に、UEは、受信した情報が示すLADNサービスエリアが有効である期間の終了に基づいて、関連づけられたLADNサービスエリアを無効化してもよい。
【０３０６】
また、LADNサービスエリアの有効化の判断は、ネットワークからの制御メッセージの受信に基づいて、実施されてもよい。具体的には、UEは、ネットワークからの制御メッセージを受信した場合に、LADNサービスエリアが有効であると判断してもよい。さらに、UEは、ネットワークからの制御メッセージの受信が可能ではない場合に、LADNサービスエリアが有効ではないと判断してもよい。逆に、UEは、ネットワークからの制御メッセージの受信を受信した場合に、LADNサービスエリアが有効ではないと判断してもよい。さらに、UEは、ネットワークからの制御メッセージの受信が可能ではない場合に、LADNサービスエリアが有効であると判断してもよい。さらに、UEは、ネットワークからの制御メッセージの受信に基づいて、LADNサービスエリアを有効化してもよい。逆に、UEは、ネットワークからの制御メッセージの受信に基づいて、LADNサービスエリアを無効化してもよい。尚、LADNサービスエリアの有効化の判断は、これらに限らなくてよい。
【０３０７】
[3.2.2. PDUセッション確立手続き]
次に、DNに対してPDUセッションを確立するために行うPDUセッション確立手続き (PDU session establishment procedure) の概要について、図7を用いて説明する。PDUセッション確立手続きは、5GSにおける手続きである。以下、本手続きとはPDUセッション確立手続きを指す。PDUセッション確立手続きは、各装置がPDUセッションを確立する為の手続きである。尚、各装置は、PDUセッション確立手続きを、登録手続きが完了して登録状態となった任意のタイミングで開始することができる。また、各装置は、PDUセッション確立手続きを、登録手続きの中で実行することができてもよい。また、各装置は、PDUセッション確立手続きの完了に基づいて、PDUセッションを確立してもよい。尚、PDUセッション確立手続きは、UEが主導して開始される手続きであってよいし、UEが要求して開始される手続きであってよい。各装置は、PDUセッション確立手続きを複数回実行することにより、複数のPDUセッションを確立することができる。
【０３０８】
ここで、PDUセッション確立手続きが、LADNのためのPDUセッションを確立するためのPDUセッション確立手続きである場合、各装置は、PDUセッション確立手続きの完了に基づいて、LADNのためのPDUセッションを確立してもよい。言い換えると、PDUセッション確立手続きが、LADN DNNを用いたPDUセッション確立手続きである場合、各装置は、PDUセッション確立手続きの完了に基づいて、LADNのためのPDUセッションを確立してもよい。
【０３０９】
さらに、UEは、LADNへの接続が可能であるエリアに位置している場合、及び/又はLADN service areaに位置している場合、LADNのためのPDUセッションを確立するために、PDUセッション確立手続きを開始してもよい。逆に、UEは、LADN service areaの外に位置している場合、LADNのためのPDUセッションを確立するためのPDUセッション確立手続きの実行が禁止されていてもよい。
【０３１０】
言い換えると、各装置は、UEがLADNへの接続が可能であるエリアに位置している場合、及び/又はUEがLADN service areaに位置している場合、LADNのためのPDUセッションを確立するために、PDUセッション確立手続きを実行してもよい。逆に、ネットワーク装置は、UEがLADN service areaの外に位置している場合、LADNのためのPDUセッションを確立するためのPDUセッション確立手続きの要求を拒絶してもよい。
【０３１１】
まず、UEは、5G AN(gNB)及びAMFを介して、SMFにPDUセッション確立要求(PDU session establishment request)メッセージを含むNASメッセージを送信することにより(S900)(S902)(S904)、PDUセッション確立手続きを開始する。
【０３１２】
具体的には、UEは、N1インターフェースを介して、5G AN(gNB)を介して、AMFに、PDUセッション確立要求メッセージを含むNASメッセージを送信する(S900)。尚、PDUセッション確立要求メッセージを含むNASメッセージは、MMメッセージであってもよい。さらに、MMメッセージは、アップリンクNASトランスポート(UL NAS TRANSPORT)メッセージであってもよい。ここで、PDUセッション確立要求メッセージに、識別情報、及び/又は値を含めると表現した場合、PDUセッション確立要求メッセージを含むMMメッセージに含めることを意味してもよい。
【０３１３】
ここで、UEは、少なくとも第26の識別情報を、PDUセッション確立要求メッセージ及び/又はNASメッセージに含めて送信することができるが、これらとは異なる制御メッセージ、例えば、RRCレイヤよりも下位のレイヤ(例えば、MACレイヤ、RLCレイヤ、PDCPレイヤ)の制御メッセージに含めて送信してもよい。これらの識別情報は、これらのメッセージに含められることで、UEの要求を示してもよい。また、これらの識別情報の2以上の識別情報は、1以上の識別情報として構成されてもよい。
【０３１４】
さらに、UEは、第26の識別情報を送信することで、第26の識別情報が示すDNNに対応づけられるPDUセッションの確立の要求を示してもよいし、UEが要求するDNNを示してもよい。尚、第26の識別情報は、第26の識別情報と共に送受信される識別情報が示す一又は複数の機能をサポートするDNを識別するDNNであってよい。さらに、第26の識別情報は、登録手続きで受信したDNNであってもよく、LADNであってもよい。
【０３１５】
ここで、PDUセッション確立手続きが、LADNのためのPDUセッションを確立するためのPDUセッション確立手続きである場合、UEは、PDUセッション確立要求メッセージに、LADNへの接続において利用可能なDNNであるLADN DNNを含めて送信してもよい。さらに、PDUセッション確立手続きが、LADNのためのPDUセッションを確立するためのPDUセッション確立手続きである場合、UEは、PDUセッション確立要求メッセージに、LADNへの接続において利用可能なS-NSSAIであるLADN S-NSSAIも含めて送信してもよいし、LADN DNNに関連づけられたS-NSSAIも含めて送信してもよい。
【０３１６】
これらの場合、UEは、PDUセッション確立手続きの実行以前に受信したLADN情報に含まれるLADN DNNの中から、PDUセッション確立要求メッセージに含めるLADN DNNを選択してもよいし、UEが記憶しているLADN DNNの中から、PDUセッション確立要求メッセージに含めるLADN DNNを選択してもよい。さらに、UEは、PDUセッション確立手続きの実行以前に受信したLADN情報に含まれるLADN S-NSSAIの中から、PDUセッション確立要求メッセージに含めるLADN S-NSSAIを選択してもよいし、UEが記憶しているLADN S-NSSAIの中から、PDUセッション確立要求メッセージに含めるLADN S-NSSAIを選択してもよい。さらに、UEは、PDUセッション確立要求メッセージに含めるLADN DNNに関連づけられているS-NSSAIを選択し、選択したS-NSSAIをPDUセッション確立要求メッセージに含めてもよい。
【０３１７】
さらに、PDUセッション確立手続きの実行以前に受信したLADN情報の中に複数のLADN DNNが含まれている場合、及び/又は複数のLADN DNNを記憶している場合、UEは、LADNサービスエリア情報を基に、LADN DNNを選択し、選択したLADN DNNをPDUセッション確立要求メッセージに含めて送信してもよい。さらに、PDUセッション確立手続きの実行以前に受信したLADN情報の中に複数のLADN S-NSSAIが含まれている場合、及び/又は複数のLADN S-NSSAIを記憶している場合、UEは、LADNサービスエリア情報を基に、LADN S-NSSAIを選択し、選択したLADN S-NSSAIをPDUセッション確立要求メッセージに含めて送信してもよい。より詳細には、PDUセッション確立手続きの実行以前に受信したLADN情報の中に複数のLADNを示す情報が含まれている場合、及び/又は複数のLADNを示す情報を記憶している場合、UEは、LADNサービスエリア情報を基に、LADNを示す情報を選択し、選択したLADNを示す情報に含まれるLADN DNN、及び/又はLADN S-NSSAIをPDUセッション確立要求メッセージに含めて送信してもよい。
【０３１８】
AMFは、PDUセッション確立要求メッセージを含むNASメッセージを受信する(S900)と、NASメッセージからPDUセッション確立要求メッセージを取り出すとともに、PDUセッション確立要求メッセージの転送先としてSMFを選択する(S902)。尚、AMFは、PDUセッション確立要求メッセージ及び/又はNASメッセージに含まれる各識別情報、及び/又は加入者情報、及び/又はネットワークの能力情報、及び/又はオペレータポリシー、及び/又はネットワークの状態、及び/又はユーザの登録情報、及び/又はAMFが保持するコンテキスト等に基づいて、転送先のSMFを選択してもよい。
【０３１９】
AMFは、選択したSMFに、N11インターフェースを介して、PDUセッション確立要求メッセージを転送する(S904)。
【０３２０】
SMFは、PDUセッション確立要求メッセージを受信(S904)すると、PDUセッション確立要求メッセージに含まれる各種の識別情報を認識する。そして、SMFは、第3の条件判別を実行する。第3の条件判別は、SMFが、UEの要求を受諾するか否かを判断する為のものである。第3の条件判別において、SMFは第3の条件判別が真であるか偽であるかを判定する。SMFは、第3の条件判別が真の場合、図7の(A)の手続きを開始し、第3の条件判別が偽の場合、図7の(B)の手続きを開始する。
【０３２１】
尚、第3の条件判別は、PDUセッション確立要求メッセージ、及び/又はPDUセッション確立要求メッセージに含まれる各識別情報、及び/又は加入者情報、及び/又はネットワークの能力情報、及び/又はオペレータポリシー、及び/又はネットワークの状態、及び/又はユーザの登録情報、及び/又はSMFが保持するコンテキスト等に基づいて、実行されてもよい。例えば、UEの要求をネットワークが許可する場合、第3の条件判別は真でよい。また、UEの要求をネットワークが許可しない場合、第3の条件判別は偽でよい。さらに、UEの接続先のネットワーク、及び/又はネットワーク内の装置が、UEが要求する機能をサポートしている場合、第3の条件判別は真でよく、UEが要求する機能をサポートしていない場合、第3の条件判別は偽でよい。さらに、送受信される識別情報が許可される場合、第3の条件判別は真であり、送受信される識別情報が許可されない場合、第3の条件判別は偽でよい。尚、第3の条件判別の真偽が決まる条件は前述した条件に限らなくてもよい。
【０３２２】
次に、第3の条件判別が真の場合のステップ、すなわち図7の(A)の手続きの各ステップを説明する。SMFは、PDUセッションの確立先のUPFを選択し、選択したUPFに、N4インターフェースを介して、セッション確立要求メッセージを送信し(S906)、図7の(A)の手続きを開始する。
【０３２３】
ここで、SMFは、PDUセッション確立要求メッセージの受信に基づいて取得した各識別情報、及び/又は加入者情報、及び/又はネットワークの能力情報、及び/又はオペレータポリシー、及び/又はネットワークの状態、及び/又はユーザの登録情報、及び/又はSMFが保持するコンテキスト等に基づいて、1以上のUPFを選択してもよい。尚、複数のUPFが選択された場合、SMFは、各々のUPFに対してセッション確立要求メッセージを送信してもよい。
【０３２４】
UPFは、N4インターフェースを介して、SMFからセッション確立要求メッセージを受信し(S906)、PDUセッションのためのコンテキストを作成する。さらに、UPFは、セッション確立要求メッセージを受信、及び/又はPDUセッションのためのコンテキストの作成に基づいて、N4インターフェースを介して、SMFにセッション確立応答メッセージを送信する(S908)。
【０３２５】
SMFは、セッション確立要求メッセージに対する応答メッセージとして、N4インターフェースを介して、UPFからセッション確立応答メッセージを受信する(S908)。SMFは、PDUセッション確立要求メッセージの受信、及び/又はUPFの選択、及び/又はセッション確立応答メッセージの受信に基づいて、UEに割り当てるアドレスのアドレス割り当てを行ってよい。
【０３２６】
SMFは、PDUセッション確立要求メッセージの受信、及び/又はUPFの選択、及び/又はセッション確立応答メッセージの受信、及び/又はUEに割り当てるアドレスのアドレス割り当ての完了に基づいて、AMFを介して、UEにPDUセッション確立受諾(PDU session establishment accept)メッセージを送信する(S910)(S912)。
【０３２７】
具体的には、SMFは、N11インターフェースを介して、AMFにPDUセッション確立受諾メッセージを送信すると(S910)、PDUセッション確立要求メッセージを受信したAMFは、N1インターフェースを介して、UEにPDUセッション確立受諾メッセージを含むNASメッセージを送信する(S912)。尚、PDUセッション確立受諾メッセージは、NASメッセージであり、PDUセッション確立要求に対する応答メッセージであってよい。さらに、PDUセッション確立受諾メッセージは、N1インターフェースを、MMメッセージに含まれて送受信されてもよい。さらに、MMメッセージは、NASメッセージであってよく、ダウンリンクNASトランスポート(DL NAS TRANSPORT)メッセージであってもよい。ここで、PDUセッション確立受諾メッセージに、識別情報、及び/又は値を含めると表現した場合、PDUセッション確立受諾メッセージを含むMMメッセージに含めることを意味してもよい。また、PDUセッション確立受諾メッセージは、PDUセッションの確立が受諾されたことを示すことができる。
【０３２８】
ここで、SMF及びAMFは、PDUセッション確立受諾メッセージを送信することで、PDUセッション確立要求によるUEの要求が受諾されたことを示してもよい。
【０３２９】
SMF及びAMFは、PDUセッション確立受諾メッセージに、少なくとも第36の識別情報を含めて送信してもよい。尚、SMF及びAMFは、これらの識別情報を送信することで、ネットワークが各機能をサポートしていることを示してもよいし、UEの要求が受諾されたことを示してもよい。さらに、これらの識別情報の2以上の識別情報は、1以上の識別情報として構成されてもよい。尚、各機能のサポートを示す情報と、各機能の使用の要求を示す情報は、同じ識別情報と送受信されてもよいし、異なる識別情報として送受信されてもよい。
【０３３０】
さらに、SMF及びAMFは、第36の識別情報を送信することで、第36の識別情報が示すDNNに対応づけられるPDUセッションの確立要求の受諾を示してもよいし、前記PDUセッションが確立されることを示してもよい。さらに、SMF及びAMFは、第36の識別情報を送信すること、ネットワークが選択、決定したDNNを示してもよい。尚、第36の識別情報は、第36の識別情報と共に送受信される識別情報が示す一又は複数の機能をサポートするDNを識別するDNNであってよい。さらに、第36の識別情報は、登録手続きで送信したDNNであってもよく、LADNであってもよい。
【０３３１】
尚、SMF及びAMFは、少なくとも第36の識別情報をPDUセッション確立受諾メッセージに含めるかを、受信した各識別情報、及び/又は加入者情報、及び/又はネットワークの能力情報、及び/又はオペレータポリシー、及び/又はネットワークの状態、及び/又はユーザの登録情報、及び/又はAMFが保持するコンテキスト等に基づいて、選択、決定してもよい。
【０３３２】
また、SMF及びAMFは、選択した、及び/又は許可したPDUセッションIDをPDUセッション確立受諾メッセージに含めることができる。また、SMF及びAMFは、選択した、及び/又は許可したPDUセッションのタイプを示すPDUセッションタイプを指定することができる。PDUセッションタイプとしては、上述の通り、IPv4、IPv6、IP、Ethernet、Unstructuredのいずれかを指定することができる。また、SMF及びAMFは、選択した、及び/又は許可したPDUセッションのSSCモードをPDUセッション確立受諾メッセージに含めることができる。
【０３３３】
さらに、SMF及びAMFは、承認されたQoSルール群をPDUセッション確立受諾メッセージに含めることができる。尚、承認されたQoSルール群には一又複数のQoSルールが含まれてよい。さらに、本手続きにおいて、QoSフロー、及び/又はユーザプレーン無線ベアラが複数確立される場合、承認されたQoSルール群には複数のQoSルールが含まれてもよい。逆に本手続きにおいて、QoSフロー、及び/又はユーザプレーン無線ベアラが1つのみ確立される場合、承認されたQoSルール群には1つのQoSルールが含まれてもよい。
【０３３４】
さらに、SMFは、PDUセッション確立受諾メッセージに、UEの一部の要求が拒絶されたことを示す情報を含めて送信してもよいし、UEの一部の要求が拒絶されたことを示す情報を送信することで、UEの一部の要求が拒絶された理由を示してもよい。さらに、UEは、UEの一部の要求が拒絶されたことを示す情報を受信することで、UEの一部の要求が拒絶された理由を認識してもよい。尚、拒絶された理由は、SMFが受信した識別情報が示す内容が許可されていないことを示す情報であってもよい。
【０３３５】
UEは、N1インターフェースを介して、AMFからPDUセッション確立受諾メッセージを含むNASメッセージを受信(S912)。UEは、PDUセッション確立受諾メッセージ、及び/又はPDUセッション確立受諾メッセージを含むNASメッセージの受信に基づいて、AMFを介してSMFにPDUセッション確立完了(PDU session establishment complete)メッセージを送信してもよい(S914)(S916)。UEは、PDUセッション確立受諾メッセージを受信することで、PDUセッション確立要求によるUEの要求が受諾されたことを検出することができる。
【０３３６】
具体的には、UEは、N1インターフェースを介して、AMFにPDUセッション確立完了メッセージを送信する(S914)。AMFは、UEからPDUセッション確立完了メッセージを受信すると、N11インターフェースを介して、SMFにPDUセッション確立完了メッセージを送信する(S916)。
【０３３７】
尚、AMFがSMFに送信するPDUセッション確立完了メッセージは、S910でSMFからAMFに送信されたPDUセッション確立受諾メッセージに対する応答メッセージであってよい。また、PDUセッション確立完了メッセージは、NASメッセージであってよい。また、PDUセッション確立完了メッセージは、PDUセッション確立手続きが完了することを示すメッセージであればよい。
【０３３８】
SMFは、N11インターフェースを介して、AMFからPDUセッション確立完了メッセージを受信すると(S916)、第2の条件判別を実行することができる。第2の条件判別は、送受信されるN4インターフェース上のメッセージの種類を決定する為ものである。第2の条件判別が真の場合、SMFは、N4インターフェースを介して、UPFにセッション変更要求メッセージを送信すると(S918)、その応答メッセージとして、UPFから送信されるセッション変更受諾メッセージを受信する(S920)。第2の条件判別が偽の場合、SMFは、N4インターフェースを介して、UPFにセッション確立要求メッセージを送信すると(S918)、その応答メッセージとして、UPFから送信されるセッション変更受諾メッセージを受信する(S920)。
【０３３９】
尚、第2の条件判別は、PDUセッションのためのN4インターフェース上のセッションが確立されているか否かに基づいて、実行されてもよい。例えば、PDUセッションのためのN4インターフェース上のセッションが確立されている場合、第2の条件判別は真であってよく、PDUセッションのためのN4インターフェース上のセッションが確立されていない場合、第2の条件判別は偽であってよい。尚、第2の条件判別の真偽が決まる条件は前述した条件に限らなくてもよい。
【０３４０】
各装置は、PDUセッション確立完了メッセージの送受信、及び/又はセッション変更応答メッセージの送受信、及び/又はセッション確立応答メッセージの送受信に基づいて、PDUセッション確立手続き中の(A)の手続きを完了する。本手続中の(A)の手続きが完了したとき、UEは、DNに対するPDUセッションが確立している状態にいる。ここで、PDUセッション確立手続きが、LADNのためのPDUセッションを確立するためのPDUセッション確立手続きである場合、各装置は、本手続中の(A)の手続きの完了に基づいて、LADNのためのPDUセッションを確立してもよい。
【０３４１】
次に、PDUセッション確立手続き中の(B)の手続きの各ステップを説明する。SMFは、AMFを介して、UEにPDUセッション確立拒絶(PDU session establishment reject)メッセージを送信する(S922)(S924)。具体的には、SMFは、N11インターフェースを介して、AMFにPDUセッション確立拒絶メッセージを送信する(S922)。AMFは、N11インターフェースを介して、SMFからPDUセッション確立要求メッセージを受信すると(S922)、N1インターフェースを用いて、UEにPDUセッション確立拒絶メッセージを送信する(S924)。
【０３４２】
尚、PDUセッション確立拒絶メッセージは、NASメッセージであってよいし、SMFからUEに対して送信されるSMメッセージであってもよい。また、PDUセッション確立拒絶メッセージは、PDUセッションの確立が拒絶されたことを示すメッセージであればよい。さらに、PDUセッション確立拒絶メッセージは、N1インターフェースを、MMメッセージに含まれて送受信されてもよい。さらに、MMメッセージは、NASメッセージであってよく、ダウンリンクNASトランスポート(DL NAS TRANSPORT)メッセージであってもよい。ここで、PDUセッション確立拒絶メッセージに、識別情報、及び/又は値を含めると表現した場合、PDUセッション確立拒絶メッセージを含むMMメッセージに含めることを意味してもよい。
【０３４３】
ここで、SMFは、PDUセッション確立拒絶メッセージを送信することで、PDUセッション確立要求によるUEの要求が拒絶されたことを示してもよい。さらに、SMFは、PDUセッション確立拒絶メッセージに拒絶された理由を示す情報を含めて送信してもよいし、拒絶された理由を送信することで拒絶された理由を示してもよい。さらに、UEは、UEの要求が拒絶された理由を示す情報を受信することで、UEの要求が拒絶された理由を認識してもよい。尚、拒絶された理由は、SMFが受信した識別情報が示す内容が許可されていないことを示す情報であってもよい。
【０３４４】
SMF、及び/又はAMFは、PDUセッション確立拒絶メッセージに、少なくとも第41の識別情報、及び/又はバックオフタイマー値を含めて送信してもよいし、第41識別情報、及び/又はバックオフタイマー値を送信することで、UEの要求が拒絶されたことを示してもよいし、UEの要求が拒絶された理由を示してもよい。
【０３４５】
さらに、SMF、及び/又はAMFは、第41の識別情報を送信することで、LADNのためのPDUセッションの確立要求が拒絶されたことを示してもよいし、LADNのためのPDUセッションが確立されないことを示してもよい。さらに、SMF、及び/又はAMFは、UEがLADNサービス外にいることを示してもよいし、現在のエリアにおいて、LADNのためのPDUセッションの確立ができないことを示してもよい。さらに、SMF、及び/又はAMFは、第41の識別情報を送信することで、UEが保持しているLADN情報が有効ではないことを示してもよいし、UEが保持しているLADN情報の更新が必要であることを示してもよい。ここで、前記LADNサービスエリアは、UEが要求したLADN DNNに対応づけられたLADNサービスエリアであってよい。
【０３４６】
さらに、SMF、及び/又はAMFはバックオフタイマー値を送信することで、UEに、バックオフタイマー値を送信する値に設定することを指示してもよいし、送信した値を設定したバックオフタイマーを開始することを指示してもよい。
【０３４７】
さらに、SMF、及び/又はAMFは、第41の識別情報が、UEがLADNサービスエリア外に位置していることを示す情報である場合、バックオフタイマー値をPDUセッション確立拒絶メッセージに含めなくてもよい。言い換えると、SMF、及び/又はAMFは、第41の識別情報が、UEがLADNサービスエリア外に位置していることを示す情報以外の情報である場合、バックオフタイマー値をPDUセッション確立拒絶メッセージに含めてもよい。
【０３４８】
ここで、ネットワーク装置は、第41の識別情報を送信した場合、UEに対して、UEが記憶しているLADN情報を削除するように指示してもよいし、UEが記憶しているLADN情報からUEが要求したLADN DNNを削除するように指示してもよい。さらに、ネットワーク装置は、第41の識別情報を送信した場合、UEに対して、UEが要求したLADN DNNが無効であることを示してもよいし、UEが要求したLADN DNNを無効化するように指示してもよい。
【０３４９】
さらに、ネットワーク装置は、第41の識別情報を送信した場合、UEに対して、PDUセッション確立手続きにおいて提供されたLADN DNNが無効であると認識するように指示してもよいし、PDUセッション確立手続きにおいて提供したLADN DNNを無効化するように指示してもよい。
【０３５０】
さらに、ネットワーク装置は、第41の識別情報を送信した場合、本手続きの完了後に、登録手続きを実行してもよいし、UE設定更新手続き(Generic UE configuration update procedure)を開始してもよい。尚、前記登録手続きは、モビリティと登録更新のための登録手続きであってよい。さらに、前記登録手続きは、新しいLADN情報をUEに提供するための手続きであってもよい。さらに、前記UE設定更新手続きは、AMFがUEに、設定更新コマンド(Configuration update command)メッセージを送信することにより開始される手続きであってよく、新しいLADN情報をUEに提供するための手続きであってもよい。
【０３５１】
言い換えると、ネットワーク装置は、送信した5GSM理由値が、UEがLADNサービス外にいることを示す理由値である場合、UEに対して、UEが記憶しているLADN情報を削除しりように指示してもよいし、UEが記憶しているLADN情報からUEが要求したLADN DNNを削除するように指示してもよい。さらに、ネットワーク装置は、送信した5GSM理由値が、ネットワーク装置がLADNサービス外にいることを示す理由値である場合、UEに対して、ネットワーク装置が要求したLADN DNNが無効であることを示してもよいし、UEが要求したLADN DNNを無効化するように指示してもよい。
【０３５２】
さらに、ネットワーク装置は、送信した5GSM理由値が、UEがLADNサービス外にいることを示す理由値である場合、UEに対して、PDUセッション確立手続きにおいて提供されたLADN DNNが無効であると認識するように指示してもよいし、PDUセッション確立手続きにおいて提供したLADN DNNを無効化するように指示してもよい。
【０３５３】
さらに、ネットワーク装置は、送信した5GSM理由値が、UEがLADNサービス外にいることを示す理由値である場合、本手続きの完了後に、登録手続きを実行してもよいし、UE設定更新手続き(Generic UE configuration update procedure)を開始してもよい。尚、前記登録手続きは、モビリティと登録更新のための登録手続きであってよい。さらに、前記登録手続きは、新しいLADN情報をUEに提供するための手続きであってもよい。さらに、前記UE設定更新手続きは、AMFがUEに、設定更新コマンド(Configuration update command)メッセージを送信することにより開始される手続きであってよく、新しいLADN情報をUEに提供するための手続きであってもよい。
【０３５４】
尚、SMF、及び/又はAMFは、少なくとも第41の識別情報をPDUセッション確立拒絶メッセージに含めるかを、受信した各識別情報、及び/又は加入者情報、及び/又はネットワークの能力情報、及び/又はオペレータポリシー、及び/又はネットワークの状態、及び/又はユーザの登録情報、及び/又はAMFが保持するコンテキスト等に基づいて、選択、決定してもよい。具体的には、SMF、及び/又はAMFは、UEがLADNサービスエリア外に位置している場合に、第41の識別情報をPDUセッション確立拒絶メッセージに含めてもよい。尚、前記LADNサービスエリアは、UEが要求したLADN DNNに対応づけられたLADNサービスエリアであってよい。
【０３５５】
UEは、PDUセッション確立拒絶メッセージを受信することで、PDUセッション確立要求によるUEの要求が拒絶されたこと、及びPDUセッション確立拒絶メッセージに含まれる各種の識別情報の内容を認識することができる。
【０３５６】
各装置は、図7の(A)又は(B)の手続きの完了に基づいて、PDUセッション確立手続きを完了する。尚、各装置は、図7の(A)の手続きの完了に基づいて、PDUセッションが確立された状態に遷移してもよいし、図7の(B)の手続きの完了に基づいて、PDUセッション確立手続きが拒絶されたことを認識してもよいし、PDUセッションが確立されていない状態に遷移してもよい。さらに、UEは、図7の(A)の手続きが完了することで、確立したPDUセッションを用いて、DNと通信することができる。
【０３５７】
さらに、各装置は、PDUセッション確立手続きの完了に基づいて、PDUセッション確立手続きで送受信した情報に基づいた処理を実施してもよい。例えば、各装置は、UEの一部の要求が拒絶されたことを示す情報を送受信した場合、UEの要求が拒絶された理由を認識してもよい。さらに、各装置は、UEの要求が拒絶された理由に基づいて、再度本手続きを実施してもよいし、別のセルに対してPDUセッション確立手続きを実施してもよい。
【０３５８】
さらに、UEは、PDUセッション確立手続きの完了に基づいて、PDUセッション確立受諾メッセージ、及び/又はPDUセッション確立拒絶メッセージとともに受信した識別情報を記憶してもよいし、ネットワークの決定を認識してもよい。
【０３５９】
例えば、各装置は、第36の識別情報を送受信した場合、第36の識別情報が示すDNNに対応づけられるPDUセッションを確立してもよい。さらに、UEは、第36の識別情報を受信した場合、第36の識別情報が示すDNNに対応づけられるPDUセッションが確立されることを認識してもよい。さらに、UEは、第36の識別情報を受信した場合、ネットワークが選択、決定したDNNを認識してもよい。尚、第36の識別情報は、第36の識別情報と共に送受信される識別情報が示す一又は複数の機能をサポートするDNを識別するDNNであってよい。さらに、第36の識別情報は、登録手続きで受信したDNNであってもよく、LADNであってもよい。
【０３６０】
さらに、UEは、バックオフタイマー値を受信した場合、バックオフタイマー値をバックオフタイマーに設定してもよいし、受信したバックオフタイマー値を設定したバックオフタイマーを開始してもよい。ここで、UEは、バックオフタイマー値を受信した場合であっても、第41の識別情報を受信した場合、受信したバックオフタイマー値を無視してもよく、バックオフタイマーを開始しなくてもよい。逆に、UEは、バックオフタイマー値、及び第41の識別情報を受信した場合であっても、受信したバックオフタイマー値をバックオフタイマーに設定してもよく、受信したバックオフタイマー値を設定したバックオフタイマーを開始してもよい。
【０３６１】
具体的には、UEは、UEがLADNサービスエリア外に位置していることを示す第41の識別情報を受信した場合、受信したバックオフタイマー値を無視してもよいし、バックオフタイマーを開始しなくてもよい。逆に、UEは、UEがLADNサービスエリア外に位置していること以外を示す第41の識別情報を受信した場合、受信したバックオフタイマー値をバックオフタイマーに設定してもよいし、受信したバックオフタイマー値を設定したバックオフタイマーを開始してもよい。
【０３６２】
さらに、UEは、第41の識別情報を受信した場合、本手続きの完了後、本手続きの完了、及び/又は第41の識別情報の受信に基づいて、他の条件でPDUセッション確立手続きを開始してよい。なお、UEがバックタイマを実行している場合、バックオフタイマーのカウントが満了後に、他の条件でPDUセッション確立手続きを開始してよい。
【０３６３】
ここで、UEが他の条件でPDUセッション確立手続きを開始するということは、例えば、UEは先に送信したLADN DNNとは異なるLADN DNNをDNN情報要素に設定しネットワークに送信することでPDUセッション確立手続きを開始してもよいし、UEが位置するエリアを変更してからPDUセッション確立要求メッセージを送信することでPDUセッション確立手続きを開始してもよいし、これらを組み合わせた変更を反映させて、PDUセッション確立手続きを開始してもよい。なお、UEは、UEが記憶するLADN情報から再選択したLADN DNNをDNN情報要素に設定してよい。
【０３６４】
または、UEが他の条件でPDUセッション確立手続きを開始するということは、UEはLADN DNNを用いずに、PDUセッション確立手続きを開始してよい。具体的にはUEはLADN DNNをPDUセッション確立要求メッセージに含めず送信することで、5GLAN以外のためのPDUセッションを要求してもよい。
【０３６５】
UEは、第41の識別情報を受信した場合、本手続きの完了後、UEが要求したLADN DNNを用いたPDUセッション確立手続きが、開始されない状態、又は停止された状態、又は禁止された状態に遷移してよい。ここで、UEが要求したLADN DNNを用いたPDUセッション確立手続きとは、UEが先に要求したLADN DNNを含むPDUセッション確立要求メッセージを送信することで開始されるPDUセッション確立手続きの事であってよい。言い換えると、第41の識別情報を受信した場合、UEは、同じLADN DNNを用いたPDUセッション確立手続きが禁止されていてもよいし、同じLADN DNNを含むPDUセッション確立要求メッセージの送信が禁止されていてもよい。
【０３６６】
UEは、第41の識別情報を受信した場合、本手続きの完了後、UEの状態変化が起きるまでの間、同じPLMNにおいて、同じLADN DNNを含むPDUセッション確立要求メッセージの送信が禁止されてよい。ここで、UEの状態変化は、UEの電源が切られることであってもよいし、USIMが取り除かれることであってもよい。さらに、UEの状態変化は、UEが保持している情報が更新されることであってもよい。ここで、UEが保持している情報は、LADN情報であってもよい。さらに、UEが保持している情報の更新は、登録手続きによって行われてもよいし、UE設定更新手続きによって行われてもよい。
【０３６７】
言い換えると、UEは、第41の識別情報を受信した場合、本手続きの完了後、登録手続き、又はUE設定更新手続きが実行されるまでの間、同じPLMNにおいて、同じLADNに対するPDUセッション確立手続きの実行が禁止されていてもよいし、前記PDUセッション確立手続きを開始するためのPDUセッション確立要求メッセージの送信が禁止されてよい。さらに言い換えると、UEは、第41の識別情報を受信した場合、本手続きの完了後、登録手続き、又はUE設定更新手続きが実行されるまでの間、同じPLMNにおいて、同じLADN DNNを含むPDUセッション確立要求メッセージの送信が禁止されてよい。
【０３６８】
UEは、第41の識別情報を受信した場合、本手続きの完了後、一定期間同じLADN DNNを含むPDUセッション確立要求メッセージの送信が禁止されている状態に遷移してもよいし、同じPLMNにおいて、同じLADN DNNを含むPDUセッション確立要求メッセージの送信が禁止されている状態に遷移してもよいし、同じエリアにおいて、同じLADN DNNを含むPDUセッション確立要求メッセージの送信が禁止されている状態に遷移してもよい。ここで、一定期間は、バックオフタイマー値で設定される期間であってもよいし、その他ネットワーク又はUEが設定する期間であってよい。
【０３６９】
UEは、第41の識別情報を受信した場合、記憶しているLADN情報を削除してもよいし、記憶しているLADN情報からUEが要求したLADN DNNを削除してもよい。さらに、UEは、第41の識別情報を受信した場合、UEが要求したLADN DNNが無効であると認識してもよいし、UEが要求したLADN DNNを無効化してもよい。
【０３７０】
言い換えると、UEは、第41の識別情報を受信した場合、PDUセッション確立手続きにおいて提供したLADN DNNが無効であると認識してもよいし、PDUセッション確立手続きにおいて提供したLADN DNNを無効化してもよい。
【０３７１】
さらに、UEは、第41の識別情報を受信した場合、登録手続きを開始してもよい。尚、前記登録手続きは、モビリティと登録更新のための登録手続きであってよい。さらに、前記登録手続きは、新しいLADN情報を要求するための手続きであってもよい。さらに、UEは、前記登録手続きにおいて、LADN情報を受信した場合、受信したLADN情報を記憶してもよい。
【０３７２】
言い換えると、UEは、第41の識別情報を受信した場合、LADN情報を要求してもよい。ここで、前記LADN情報は、PDUセッション確立手続きにおいて提供したLADN DNNのためのLADN情報であってもよい。
【０３７３】
言い換えると、UEは、受信した5GSM理由値が、UEがLADNサービス外にいることを示す理由値である場合、記憶しているLADN情報を削除してもよいし、記憶しているLADN情報からUEが要求したLADN DNNを削除してもよい。さらに、UEは、受信した5GSM理由値が、UEがLADNサービス外にいることを示す理由値である場合、UEが要求したLADN DNNが無効であると認識してもよいし、UEが要求したLADN DNNを無効化してもよい。
【０３７４】
言い換えると、UEは、受信した5GSM理由値が、UEがLADNサービス外にいることを示す理由値である場合、PDUセッション確立手続きにおいて提供したLADN DNNが無効であると認識してもよいし、PDUセッション確立手続きにおいて提供したLADN DNNを無効化してもよい。
【０３７５】
尚、LADN DNNを削除すると表現した場合、LADN DNNによって構成させるLADNを示す情報を削除することを意味してもよいし、LADN DNNを含むLADN情報を削除することを意味してもよい。さらに、LADN DNNが無効であると認識すると表現した場合、LADN DNNによって構成させるLADNを示す情報が無効であると認識することを意味してもよいし、LADN DNNを含むLADN情報が無効であると認識することを意味してもよい。さらに、LADN DNNを無効化すると表現した場合、LADN DNNによって構成させるLADNを示す情報を無効化することを意味してもよいし、LADN DNNを含むLADN情報を無効化することを意味してもよい。
【０３７６】
さらに、UEは、受信した5GSM理由値が、UEがLADNサービス外にいることを示す理由値である場合、登録手続きを開始してもよい。より詳細には、UEは、受信した5GSM理由値が、UEがLADNサービス外にいることを示す理由値である場合、上位層からの要求、及び/又はユーザの指示に基づいて、登録手続きを開始してもよい。
【０３７７】
尚、前記登録手続きは、モビリティと登録更新のための登録手続きであってよい。さらに、前記登録手続きは、新しいLADN情報を要求するための手続きであってもよい。さらに、UEは、前記登録手続きにおいて、LADN情報を受信した場合、受信したLADN情報を記憶してもよい。尚、UEは、前記登録手続きにおいて、第2の識別情報を含む登録要求メッセージを送信することで、新しいLADN情報を要求してもよいし、ネットワークからLADN情報を取得してもよい。また、UEは、前記登録手続きにおいて、第2の識別情報を含まない登録要求メッセージを送信した場合であっても、ネットワークからLADN情報を取得してもよい。
【０３７８】
ここで、UEは、ネットワークとLADN情報を同期するために、前記登録手続きを開始してもよい。さらに、UEは、LADNサービスエリア外による失敗を避けるために、前記登録手続きを開始してもよい。
【０３７９】
言い換えると、UEは、受信した5GSM理由値が、UEがLADNサービス外にいることを示す理由値である場合、LADN情報を要求してもよい。ここで、前記LADN情報は、PDUセッション確立手続きにおいて提供したLADN DNNのためのLADN情報であってもよい。
【０３８０】
[4. 第1の実施形態]
次に、第1の実施形態について説明する。以下、第1の実施形態を、本実施形態と称する。本実施形態の通信手続きでは、まず、各装置は、UEが開始した登録手続きを行う。次に、各装置は、UEが開始したPDUセッション確立手続きを行うことにより、PDUセッションを確立し、UEとDNとの間で、PDUセッションを用いた通信を行うことができる状態へ遷移する。次に、各装置は、PDUセッションを用いてユーザデータの送受信を行う。以上により、本実施形態の手続きは完了する。
【０３８１】
尚、本実施形態の手続きでは、各装置は、登録手続きにおいて、UEとネットワークとの間で、LADNサービスエリアの拡張のサポート情報、及び/又はLADN情報を交換してよい。
【０３８２】
さらに、各装置は、PDUセッション確立手続きにおいて、登録手続きで交換した情報を基に、UEとネットワークとの間で、LADNのためのPDUセッションを確立してもよい。尚、LADNのためのPDUセッションは、特定のエリアにUEが在圏している場合のみに確立可能なPDUセッションであってよい。ここで、特定のエリアとは、例えば、LADNサービスエリアであってもよい。
【０３８３】
さらに、各装置は、確立されたPDUセッションを用いることにより、LADNとの間でユーザデータの通信を実行してもよい。さらに、各装置は、LADN情報の更新、及び/又はLADNサービスエリアの状態変化に基づいて、確立しているPDUセッションを解放してもよいし、確立しているPDUセッションに関連づけられたユーザプレーンリソースを解放してもよい。
【０３８４】
さらに、PDUセッション確立手続きの要求が拒絶された場合、各装置は、PDUセッションを確立しなくてよい。この場合、各装置は、PDUセッション確立手続きの完了後に、PDUセッション確立拒絶メッセージに含まれる情報に基づいた処理を実施してもよいし、PDUセッション確立拒絶メッセージに含まれる情報に基づいた処理を実施することで、本実施形態の手続きを完了してもよい。
【０３８５】
[5. 変形例]
本発明に関わる装置で動作するプログラムは、本発明に関わる実施形態の機能を実現するように、Central Processing Unit(CPU)等を制御してコンピュータを機能させるプログラムであっても良い。プログラムあるいはプログラムによって取り扱われる情報は、一時的にRandom Access Memory(RAM)等の揮発性メモリあるいはフラッシュメモリ等の不揮発性メモリやHard Disk Drive(HDD)、あるいはその他の記憶装置システムに格納される。
【０３８６】
尚、本発明に関わる実施形態の機能を実現する為のプログラムをコンピュータが読み取り可能な記録媒体に記録しても良い。この記録媒体に記録されたプログラムをコンピュータシステムに読み込ませ、実行する事によって実現しても良い。ここでいう「コンピュータシステム」とは、装置に内蔵されたコンピュータシステムであって、オペレーティングシステムや周辺機器等のハードウェアを含むものとする。また、「コンピュータが読み取り可能な記録媒体」とは、半導体記録媒体、光記録媒体、磁気記録媒体、短時間動的にプログラムを保持する媒体、あるいはコンピュータが読み取り可能なその他の記録媒体であっても良い。
【０３８７】
また、上述した実施形態に用いた装置の各機能ブロック、または諸特徴は、電気回路、たとえば、集積回路あるいは複数の集積回路で実装または実行され得る。本明細書で述べられた機能を実行するように設計された電気回路は、汎用用途プロセッサ、デジタルシグナルプロセッサ(DSP)、特定用途向け集積回路(ASIC)、フィールドプログラマブルゲートアレイ(FPGA)、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサでもよいし、従来型のプロセッサ、コントローラ、マイクロコントローラ、またはステートマシンであっても良い。前述した電気回路は、デジタル回路で構成されていてもよいし、アナログ回路で構成されていてもよい。また、半導体技術の進歩により現在の集積回路に代替する集積回路化の技術が出現した場合、本発明の一又は複数の態様は当該技術による新たな集積回路を用いる事も可能である。
【０３８８】
なお、本願発明は上述の実施形態に限定されるものではない。実施形態では、装置の1例を記載したが、本願発明は、これに限定されるものではなく、屋内外に設置される据え置き型、または非可動型の電子機器、たとえば、AV機器、キッチン機器、掃除・洗濯機器、空調機器、オフィス機器、自動販売機、その他生活機器等の端末装置もしくは通信装置に適用出来る。
【０３８９】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０３９０】
1 移動通信システム
5 PDN_A
6 DN_A
10 UE_A
30 PGW-U
32 PGW-C
35 SGW
40 MME
45 eNB
50 HSS
60 PCRF
80 アクセスネットワーク_A(E-UTRAN)
90 コアネットワーク_A
120 アクセスネットワーク_B(5G AN)
122 gNB
130 UPF
132 SMF
140 AMF
150 UDM
160 PCF
190 コアネットワーク_B
【図１】
2020088474.tif 000003
【図２】
2020088474.tif 000004
【図３】
2020088474.tif 000005
【図４】
2020088474.tif 000006
【図５】
2020088474.tif 000007
【図６】
2020088474.tif 000008
【図７】
2020088474.tif 000009